(57)【特許請求の範囲】
【請求項１】
１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ−ｂは、ａからｂの範囲で定められるプログレッシブ信号のフレームレート）／ｒ：ｇ：ｂ（ｒ，ｇ，ｂは、所定の信号伝送方式の映像フォーマットにおける信号比率）／１０ビット又は１２ビット信号で規定され、連続する第１及び第２のクラスイメージでそれぞれ連続する４本のライン（第０ライン乃至第３ライン）の１ライン毎に同一ラインで隣り合う２つの画素サンプルを間引いて、ｍ′×ｎ′（ｍ′サンプル、ｎ′ラインを示すｍ′，ｎ′は、正の整数）／ａ′−ｂ′（ａ′−ｂ′は、ａ′からｂ′の範囲で定められるプログレッシブ信号のフレームレート）／ｒ′：ｇ′：ｂ′（ｒ′，ｇ′，ｂ′は、所定の信号伝送方式の映像フォーマットにおける信号比率）／１０ビット又は１２ビット信号で規定される第１〜第８のサブイメージの映像データ領域に前記２つの画素サンプルをマッピングする場合に、前記第１のクラスイメージの第０ラインから２画素ずつ抽出した各画素サンプルを第１及び第２のサブイメージの映像データ領域に交互にマッピングし、前記第１のクラスイメージの第１ラインから２画素ずつ抽出した各画素サンプルを第３及び第４のサブイメージの映像データ領域に交互にマッピングし、前記第１のクラスイメージの第２ラインから２画素ずつ抽出した各画素サンプルを第５及び第６のサブイメージの映像データ領域に交互にマッピングし、前記第１のクラスイメージの第３ラインから２画素ずつ抽出した各画素サンプルを第７及び第８のサブイメージの映像データ領域に交互にマッピングし、さらに、前記第２のクラスイメージの第０ラインから２画素ずつ抽出した各画素サンプルを第１及び第２のサブイメージの映像データ領域に交互にマッピングし、前記第２のクラスイメージの第１ラインから２画素ずつ抽出した各画素サンプルを第３及び第４のサブイメージの映像データ領域に交互にマッピングし、前記第２のクラスイメージの第２ラインから２画素ずつ抽出した各画素サンプルを第５及び第６のサブイメージの映像データ領域に交互にマッピングし、前記第２のクラスイメージの第３ラインから２画素ずつ抽出した各画素サンプルを第７及び第８のサブイメージの映像データ領域に交互にマッピングする２画素間引き制御部と、
前記画素サンプルがマッピングされた前記第１〜第８のサブイメージのそれぞれの一ラインおきに前記画素サンプルを間引いて、一ラインおきに前記画素サンプルが間引かれた１フィールドのインターレース信号とするライン間引き制御部と、
前記ライン毎に間引かれた前記画素サンプルをワード毎に間引いて、ＳＭＰＴＥ４３５−１に規定される２つのＨＤ−ＳＤＩの映像データ領域にマッピングするワード間引き制御部と、
前記ＨＤ−ＳＤＩを出力する読出し制御部と、を備える
信号送信装置。
【請求項２】
ＵＨＤＴＶ１のクラスイメージにおける、ｍ×ｎが３８４０×２１６０であり、ａ−ｂが１００Ｐ，１１９．８８Ｐ，１２０Ｐのいずれかであり、ｒ：ｇ：ｂが４：４：４，４：２：２，４：２：０のいずれかである場合に、
前記２画素間引き制御部は、ｍ′×ｎ′が１９２０×１０８０であり、ａ′−ｂ′が５０Ｐ，５９．９４Ｐ，６０Ｐのいずれかであり、ｒ′：ｇ′：ｂ′が４：４：４，４：２：２，４：２：０のいずれかである前記第１〜第８のサブイメージの映像データ領域に前記画素サンプルをマッピングし、
前記ワード間引き制御部は、ＳＭＰＴＥ４３５−２に規定され、前記第１〜第８のサブイメージ毎に対応する４チャンネルのモードＤによって定まる１０．６９２Ｇｂｐｓストリームの映像データ領域に前記画素サンプルを多重する
請求項１記載の信号送信装置。
【請求項３】
ＵＨＤＴＶ１のクラスイメージにおける、ｍ×ｎが３８４０×２１６０であり、ａ−ｂ（５０Ｐ，５９．９４Ｐ，６０Ｐのいずれか）×Ｎ（Ｎは２以上の整数）であり、ｒ：ｇ：ｂが４：４：４，４：２：２，４：２：０のいずれかであり、クラスイメージのライン数が０，１，…，２Ｎ−２，２Ｎ−１で規定され、かつ、第０ラインに含まれる前記画素サンプルの位置が１，１，２，２の繰り返しで規定され、第１ラインに含まれる前記画素サンプルの位置が３，３，４，４の繰り返しで規定され、第２ラインに含まれる前記画素サンプルの位置が５，５，６，６の繰り返しで規定され、第３ラインに含まれる前記画素サンプルの位置が７，７，８，８の繰り返しで規定され、…第２Ｎ−４ラインに含まれる前記画素サンプルの位置が４Ｎ−７，４Ｎ−７，４Ｎ−６，４Ｎ−６の繰り返しで規定され、第２Ｎ−３ラインに含まれる前記画素サンプルの位置が４Ｎ−５，４Ｎ−５，４Ｎ−４，４Ｎ−４の繰り返しで規定され、第２Ｎ−２ラインに含まれる前記画素サンプルの位置が４Ｎ−３，４Ｎ−３，４Ｎ−２，４Ｎ−２の繰り返しで規定され、第２Ｎ−１ラインに含まれる前記画素サンプルの位置が４Ｎ−１，４Ｎ−１，４Ｎ，４Ｎの繰り返しで規定される場合に、
前記２画素間引き制御部は、ｍ′×ｎ′が１９２０×１０８０であり、ａ′−ｂ′が５０Ｐ，５９．９４Ｐ，６０Ｐのいずれかであり、ｒ′：ｇ′：ｂ′が４：４：４，４：２：２，４：２：０のいずれかである第１〜第４Ｎのサブイメージの映像データ領域であって、ＵＨＤＴＶ１のクラスイメージに規定される前記画素サンプルの位置と同じ数の前記第１〜第４Ｎのサブイメージにおける前記映像データ領域に前記画素サンプルをマッピングし、
前記ワード間引き制御部は、ＳＭＰＴＥ４３５−２に規定され、前記第１〜第４Ｎのサブイメージ毎に対応する２ＮチャンネルのモードＤによって定まる１０．６９２Ｇｂｐｓストリームの映像データ領域に前記画素サンプルを多重する
請求項１記載の信号送信装置。
【請求項４】
４０９６×２１６０クラスイメージにおける、ｍ×ｎが４０９６×２１６０であり、ａ−ｂ（４７．９５Ｐ，４８Ｐ，５０Ｐ，５９．９４Ｐ，６０Ｐのいずれか）×Ｎ（Ｎは２以上の整数）であり、ｒ：ｇ：ｂが４：４：４，４：２：２のいずれかである場合に、
前記２画素間引き制御部は、ｍ′×ｎ′が２０４８×１０８０であり、ａ′−ｂ′が４７．９５Ｐ，４８Ｐ，５０Ｐ，５９．９４Ｐ，６０Ｐのいずれかであり、ｒ′：ｇ′：ｂ′が４：４：４，４：２：２，４：２：０のいずれかである前記第１〜第８のサブイメージの映像データ領域に前記画素サンプルをマッピングし、
前記ワード間引き制御部は、ＳＭＰＴＥ４３５−１に規定され、前記第１〜第８のサブイメージ毎に対応する６チャンネルのモードＢによって定まる１０．６９２Ｇｂｐｓストリームの映像データ領域に前記画素サンプルを多重する
請求項１記載の信号送信装置。
【請求項５】
１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ−ｂは、ａからｂの範囲で定められるプログレッシブ信号のフレームレート）／ｒ：ｇ：ｂ（ｒ，ｇ，ｂは、所定の信号伝送方式の映像フォーマットにおける信号比率）／１０ビット又は１２ビット信号で規定され、連続する第１及び第２のクラスイメージでそれぞれ連続する４本のライン（第０ライン乃至第３ライン）の１ライン毎に同一ラインで隣り合う２つの画素サンプルを間引いて、ｍ′×ｎ′（ｍ′サンプル、ｎ′ラインを示すｍ′，ｎ′は、正の整数）／ａ′−ｂ′（ａ′−ｂ′は、ａ′からｂ′の範囲で定められるプログレッシブ信号のフレームレート）／ｒ′：ｇ′：ｂ′（ｒ′，ｇ′，ｂ′は、所定の信号伝送方式の映像フォーマットにおける信号比率）／１０ビット又は１２ビット信号で規定される第１〜第８のサブイメージの映像データ領域に前記２つの画素サンプルをマッピングする場合に、前記第１のクラスイメージの第０ラインから２画素ずつ抽出した各画素サンプルを第１及び第２のサブイメージの映像データ領域に交互にマッピングし、前記第１のクラスイメージの第１ラインから２画素ずつ抽出した各画素サンプルを第３及び第４のサブイメージの映像データ領域に交互にマッピングし、前記第１のクラスイメージの第２ラインから２画素ずつ抽出した各画素サンプルを第５及び第６のサブイメージの映像データ領域に交互にマッピングし、前記第１のクラスイメージの第３ラインから２画素ずつ抽出した各画素サンプルを第７及び第８のサブイメージの映像データ領域に交互にマッピングし、さらに、前記第２のクラスイメージの第０ラインから２画素ずつ抽出した各画素サンプルを第１及び第２のサブイメージの映像データ領域に交互にマッピングし、前記第２のクラスイメージの第１ラインから２画素ずつ抽出した各画素サンプルを第３及び第４のサブイメージの映像データ領域に交互にマッピングし、前記第２のクラスイメージの第２ラインから２画素ずつ抽出した各画素サンプルを第５及び第６のサブイメージの映像データ領域に交互にマッピングし、前記第２のクラスイメージの第３ラインから２画素ずつ抽出した各画素サンプルを第７及び第８のサブイメージの映像データ領域に交互にマッピングするステップと、
前記画素サンプルがマッピングされた前記第１〜第８のサブイメージのそれぞれの一ラインおきに前記画素サンプルを間引いて、一ラインおきに前記画素サンプルが間引かれた１フィールドのインターレース信号とするステップと、
前記ライン毎に間引かれた前記画素サンプルをワード毎に間引いて、ＳＭＰＴＥ４３５−１に規定される２つのＨＤ−ＳＤＩの映像データ領域にマッピングするステップと、
前記ＨＤ−ＳＤＩを出力するステップと、を有する
信号送信方法。
【請求項６】
ＨＤ−ＳＤＩを記憶部に保存する書込み制御部と、
前記記憶部から読み出した２つの前記ＨＤ−ＳＤＩの映像データ領域から抽出した画素サンプルをライン毎にワード多重するワード多重制御部と、
ワード多重された前記画素サンプルを、ｍ′×ｎ′（ｍ′サンプル、ｎ′ラインを示すｍ′，ｎ′は、正の整数）／ａ′−ｂ′（ａ′−ｂ′は、ａ′からｂ′の範囲で定められるプログレッシブ信号のフレームレート）／ｒ′：ｇ′：ｂ′（ｒ′，ｇ′，ｂ′は、所定の信号伝送方式の映像フォーマットにおける信号比率）／１０ビット又は１２ビット信号で規定される第１〜第８のサブイメージの映像データ領域に２画素ずつライン毎に多重してプログレッシブ信号とするライン多重制御部と、
１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ−ｂは、ａからｂの範囲で定められるプログレッシブ信号のフレームレート）／ｒ：ｇ：ｂ（ｒ，ｇ，ｂは、所定の信号伝送方式の映像フォーマットにおける信号比率）／１０ビット又は１２ビット信号で規定され、連続する第０ライン、第１ライン、第２ライン、及び第３ラインによってラインが定められ、かつ、連続する第１及び第２のクラスイメージに対して、第１及び第２のサブイメージの映像データ領域から２画素ずつ抽出した各画素サンプルを前記第１のクラスイメージの第０ラインに隣り合わせて多重し、第３及び第４のサブイメージの映像データ領域から２画素ずつ抽出した各画素サンプルを前記第１のクラスイメージの第１ラインに隣り合わせて多重し、第５及び第６のサブイメージの映像データ領域から２画素ずつ抽出した各画素サンプルを前記第１のクラスイメージの第２ラインに隣り合わせて多重し、第７及び第８のサブイメージの映像データ領域から２画素ずつ抽出した各画素サンプルを前記第１のクラスイメージの第３ラインに隣り合わせて多重し、さらに、第１及び第２のサブイメージの映像データ領域から２画素ずつ抽出した各画素サンプルを前記第２のクラスイメージの第０ラインに隣り合わせて多重し、第３及び第４のサブイメージの映像データ領域から２画素ずつ抽出した各画素サンプルを前記第２のクラスイメージの第１ラインに隣り合わせて多重し、第５及び第６のサブイメージの映像データ領域から２画素ずつ抽出した各画素サンプルを前記第２のクラスイメージの第２ラインに隣り合わせて多重し、第７及び第８のサブイメージの映像データ領域から２画素ずつ抽出した各画素サンプルを前記第２のクラスイメージの第３ラインに隣り合わせて多重する２画素多重制御部と、を備える
信号受信装置。
【請求項７】
ＵＨＤＴＶ１のクラスイメージにおける、ｍ×ｎが３８４０×２１６０であり、ａ−ｂが１００Ｐ，１１９．８８Ｐ，１２０Ｐのいずれかであり、ｒ：ｇ：ｂが４：４：４，４：２：２，４：２：０のいずれかである場合に、
前記ワード多重制御部は、ＳＭＰＴＥ４３５−２に規定され、前記第１〜第８のサブイメージ毎に対応する４チャンネルのモードＤによって定まる１０．６９２Ｇｂｐｓストリームの映像データ領域から抽出した前記画素サンプルをラインに多重し、
前記２画素多重制御部は、ｍ′×ｎ′が１９２０×１０８０であり、ａ′−ｂ′が５０Ｐ，５９．９４Ｐ，６０Ｐのいずれかであり、ｒ′：ｇ′：ｂ′が４：４：４，４：２：２，４：２：０のいずれかである前記第１〜第８のサブイメージの映像データ領域から抽出した前記画素サンプルをＵＨＤＴＶ１のクラスイメージにマッピングする
請求項６記載の信号受信装置。
【請求項８】
ＵＨＤＴＶ１のクラスイメージにおける、ｍ×ｎが３８４０×２１６０であり、ａ−ｂ（５０Ｐ，５９．９４Ｐ，６０Ｐのいずれか）×Ｎ（Ｎは２以上の整数）であり、ｒ：ｇ：ｂが４：４：４，４：２：２，４：２：０のいずれかであり、クラスイメージのライン数が０，１，…，２Ｎ−２，２Ｎ−１で規定され、かつ、第０ラインに含まれる前記画素サンプルの位置が１，１，２，２の繰り返しで規定され、第１ラインに含まれる前記画素サンプルの位置が３，３，４，４の繰り返しで規定され、第２ラインに含まれる前記画素サンプルの位置が５，５，６，６の繰り返しで規定され、第３ラインに含まれる前記画素サンプルの位置が７，７，８，８の繰り返しで規定され、…第２Ｎ−４ラインに含まれる前記画素サンプルの位置が４Ｎ−７，４Ｎ−７，４Ｎ−６，４Ｎ−６の繰り返しで規定され、第２Ｎ−３ラインに含まれる前記画素サンプルの位置が４Ｎ−５，４Ｎ−５，４Ｎ−４，４Ｎ−４の繰り返しで規定され、第２Ｎ−２ラインに含まれる前記画素サンプルの位置が４Ｎ−３，４Ｎ−３，４Ｎ−２，４Ｎ−２の繰り返しで規定され、第２Ｎ−１ラインに含まれる前記画素サンプルの位置が４Ｎ−１，４Ｎ−１，４Ｎ，４Ｎの繰り返しで規定される場合に、
前記ワード多重制御部は、ＳＭＰＴＥ４３５−２に規定され、ｍ′×ｎ′が１９２０×１０８０であり、ａ′−ｂ′が５０Ｐ，５９．９４Ｐ，６０Ｐのいずれかであり、ｒ′：ｇ′：ｂ′が４：４：４，４：２：２，４：２：０のいずれかである前記第１〜第４Ｎのサブイメージ毎に対応する４チャンネルのモードＤによって定まる１０．６９２Ｇｂｐｓストリームの映像データ領域から抽出した前記画素サンプルを多重し、
前記２画素多重制御部は、前記第１〜第４Ｎのサブイメージの映像データ領域から抽出した前記画素サンプルを、ＵＨＤＴＶ１のクラスイメージに規定される前記画素サンプルの位置と同じ数の前記第１〜第４Ｎのサブイメージの映像データ領から抽出した前記画素サンプルを第１〜第Ｎのクラスイメージに多重する
請求項６記載の信号受信装置。
【請求項９】
４０９６×２１６０クラスイメージにおける、ｍ×ｎが４０９６×２１６０であり、ａ−ｂ（４７．９５Ｐ，４８Ｐ，５０Ｐ，５９．９４Ｐ，６０Ｐのいずれか）×Ｎ（Ｎは２以上の整数）であり、ｒ：ｇ：ｂが４：４：４，４：２：２のいずれかである場合に、
前記ワード多重制御部は、ＳＭＰＴＥ４３５−２に規定され、前記第１〜第８のサブイメージ毎に対応する６チャンネルのモードＢによって定まる１０．６９２Ｇｂｐｓストリームの映像データ領域から抽出した前記画素サンプルをラインに多重し、
前記２画素多重制御部は、ｍ′×ｎ′が２０４８×１０８０であり、ａ′−ｂ′が４７．９５Ｐ，４８Ｐ，５０Ｐ，５９．９４Ｐ，６０Ｐのいずれかであり、ｒ′：ｇ′：ｂ′が４：４：４，４：２：２のいずれかである前記第１〜第８のサブイメージの映像データ領域から抽出した前記画素サンプルを４０９６×２１６０クラスイメージにマッピングする
請求項６記載の信号受信装置。
【請求項１０】
ＨＤ−ＳＤＩを記憶部に保存するステップと、
前記記憶部から読み出した２つの前記ＨＤ−ＳＤＩの映像データ領域から抽出した画素サンプルをライン毎にワード多重するステップと、
ワード多重された前記画素サンプルを、ｍ′×ｎ′（ｍ′サンプル、ｎ′ラインを示すｍ′，ｎ′は、正の整数）／ａ′−ｂ′（ａ′−ｂ′は、ａ′からｂ′の範囲で定められるプログレッシブ信号のフレームレート）／ｒ′：ｇ′：ｂ′（ｒ′，ｇ′，ｂ′は、所定の信号伝送方式の映像フォーマットにおける信号比率）／１０ビット又は１２ビット信号で規定される第１〜第８のサブイメージの映像データ領域に２画素ずつライン毎に多重してプログレッシブ信号とするステップと、
１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ−ｂは、ａからｂの範囲で定められるプログレッシブ信号のフレームレート）／ｒ：ｇ：ｂ（ｒ，ｇ，ｂは、所定の信号伝送方式の映像フォーマットにおける信号比率）／１０ビット又は１２ビット信号で規定され、連続する第０ライン、第１ライン、第２ライン、及び第３ラインによってラインが定められ、かつ、連続する第１及び第２のクラスイメージに対して、第１及び第２のサブイメージの映像データ領域から２画素ずつ抽出した各画素サンプルを前記第１のクラスイメージの第０ラインに隣り合わせて多重し、第３及び第４のサブイメージの映像データ領域から２画素ずつ抽出した各画素サンプルを前記第１のクラスイメージの第１ラインに隣り合わせて多重し、第５及び第６のサブイメージの映像データ領域から２画素ずつ抽出した各画素サンプルを前記第１のクラスイメージの第２ラインに隣り合わせて多重し、第７及び第８のサブイメージの映像データ領域から２画素ずつ抽出した各画素サンプルを前記第１のクラスイメージの第３ラインに隣り合わせて多重し、さらに、第１及び第２のサブイメージの映像データ領域から２画素ずつ抽出した各画素サンプルを前記第２のクラスイメージの第０ラインに隣り合わせて多重し、第３及び第４のサブイメージの映像データ領域から２画素ずつ抽出した各画素サンプルを前記第２のクラスイメージの第１ラインに隣り合わせて多重し、第５及び第６のサブイメージの映像データ領域から２画素ずつ抽出した各画素サンプルを前記第２のクラスイメージの第２ラインに隣り合わせて多重し、第７及び第８のサブイメージの映像データ領域から２画素ずつ抽出した各画素サンプルを前記第２のクラスイメージの第３ラインに隣り合わせて多重するステップと、を有する
信号受信方法。
【請求項１１】
１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ−ｂは、ａからｂの範囲で定められるプログレッシブ信号のフレームレート）／ｒ：ｇ：ｂ（ｒ，ｇ，ｂは、所定の信号伝送方式の映像フォーマットにおける信号比率）／１０ビット又は１２ビット信号で規定され、連続する第０ライン、第１ライン、第２ライン、及び第３ラインによってラインが定められ、かつ、連続する第１及び第２のクラスイメージから抽出した同一ラインで隣り合う２つの画素サンプルを間引いて、ｍ′×ｎ′（ｍ′サンプル、ｎ′ラインを示すｍ′，ｎ′は、正の整数）／ａ′−ｂ′（ａ′−ｂ′は、ａ′からｂ′の範囲で定められるプログレッシブ信号のフレームレート）／ｒ′：ｇ′：ｂ′（ｒ′，ｇ′，ｂ′は、所定の信号伝送方式の映像フォーマットにおける信号比率）／１０ビット又は１２ビット信号で規定される第１〜第８のサブイメージの映像データ領域に前記２つの画素サンプルをマッピングする場合に、前記第１のクラスイメージの第０ラインから２画素ずつ抽出した各画素サンプルを第１及び第２のサブイメージの映像データ領域に交互にマッピングし、前記第１のクラスイメージの第１ラインから２画素ずつ抽出した各画素サンプルを第３及び第４のサブイメージの映像データ領域に交互にマッピングし、前記第１のクラスイメージの第２ラインから２画素ずつ抽出した各画素サンプルを第５及び第６のサブイメージの映像データ領域に交互にマッピングし、前記第１のクラスイメージの第３ラインから２画素ずつ抽出した各画素サンプルを第７及び第８のサブイメージの映像データ領域に交互にマッピングし、さらに、前記第２のクラスイメージの第０ラインから２画素ずつ抽出した各画素サンプルを第１及び第２のサブイメージの映像データ領域に交互にマッピングし、前記第２のクラスイメージの第１ラインから２画素ずつ抽出した各画素サンプルを第３及び第４のサブイメージの映像データ領域に交互にマッピングし、前記第２のクラスイメージの第２ラインから２画素ずつ抽出した各画素サンプルを第５及び第６のサブイメージの映像データ領域に交互にマッピングし、前記第２のクラスイメージの第３ラインから２画素ずつ抽出した各画素サンプルを第７及び第８のサブイメージの映像データ領域に交互にマッピングする２画素間引き制御部と、
前記画素サンプルがマッピングされた前記第１〜第８のサブイメージのそれぞれの一ラインおきに前記画素サンプルを間引いて、一ラインおきに前記画素サンプルが間引かれた１フィールドのインターレース信号とするライン間引き制御部と、
前記ライン毎に間引かれた前記画素サンプルをワード毎に間引いて、ＳＭＰＴＥ４３５−１に規定される２つのＨＤ−ＳＤＩの映像データ領域にマッピングするワード間引き制御部と、
前記ＨＤ−ＳＤＩを出力する読出し制御部と、を有する信号送信装置と、
前記ＨＤ−ＳＤＩを記憶部に保存する書込み制御部と、
前記記憶部から読み出した２つの前記ＨＤ−ＳＤＩの映像データ領域から抽出した画素サンプルをライン毎にワード多重するワード多重制御部と、
前記ワード多重された前記画素サンプルを、前記第１〜第８のサブイメージの映像データ領域に２画素ずつライン毎に多重してプログレッシブ信号とするライン多重制御部と、
前記第１及び第２のサブイメージの映像データ領域から２画素ずつ抽出した各画素サンプルを前記第１のクラスイメージの第０ラインに隣り合わせて多重し、第３及び第４のサブイメージの映像データ領域から２画素ずつ抽出した各画素サンプルを前記第１のクラスイメージの第１ラインに隣り合わせて多重し、第５及び第６のサブイメージの映像データ領域から２画素ずつ抽出した各画素サンプルを前記第１のクラスイメージの第２ラインに隣り合わせて多重し、第７及び第８のサブイメージの映像データ領域から２画素ずつ抽出した各画素サンプルを前記第１のクラスイメージの第３ラインに隣り合わせて多重し、さらに、第１及び第２のサブイメージの映像データ領域から２画素ずつ抽出した各画素サンプルを前記第２のクラスイメージの第０ラインに隣り合わせて多重し、第３及び第４のサブイメージの映像データ領域から２画素ずつ抽出した各画素サンプルを前記第２のクラスイメージの第１ラインに隣り合わせて多重し、第５及び第６のサブイメージの映像データ領域から２画素ずつ抽出した各画素サンプルを前記第２のクラスイメージの第２ラインに隣り合わせて多重し、第７及び第８のサブイメージの映像データ領域から２画素ずつ抽出した各画素サンプルを前記第２のクラスイメージの第３ラインに隣り合わせて多重する２画素多重制御部と、を有する信号受信装置と、を備える
信号伝送システム。
【発明の詳細な説明】
【技術分野】
【０００１】
本開示は、１フレームの画素数がＨＤ−ＳＤＩフォーマットで規定された画素数を越える映像信号をシリアル伝送する場合に適用して好適な信号送信装置、信号送信方法、信号受信装置、信号受信方法及び信号伝送システムに関する。
【背景技術】
【０００２】
従来、１フレームが１９２０サンプル×１０８０ラインの映像信号である現行のＨＤ（High Definition）の映像信号を超える、超高精細映像信号の受像システムや撮像システムの開発が進んでいる。例えば、現行のＨＤで規定される画素数の４倍又は１６倍もの画素数を持つ次世代の放送方式であるＵＨＤＴＶ（Ultra High Definition TV）規格が、国際協会によって標準化が行われている。この国際協会には、ＩＴＵ（International Telecommunication Union）やＳＭＰＴＥ（Society of Motion Picture and Television Engineers）がある。
【０００３】
ここで、特許文献１には、４ｋ×２ｋ信号（４ｋ×２ｋの超高解像度信号）の一種である３８４０×２１６０／３０Ｐ，３０／１．００１Ｐ／４：４：４／１２ビット信号を、ビットレート１０Ｇｂｐｓ以上で伝送する技術が開示されている。なお、ｍサンプル×ｎラインで表される映像信号を、「ｍ×ｎ」と略記する。そして、［３８４０×２１６０／３０Ｐ］と示した場合には、［水平方向の画素数］×［垂直方向のライン数］／［１秒当りのフレーム数］を示す。また、［４：４：４］は、原色信号伝送方式である場合、［赤信号Ｒ：緑信号Ｇ：青信号Ｂ］の比率を示し、色差信号伝送方式である場合、［輝度信号Ｙ：第１色差信号Ｃｂ：第２色差信号Ｃｒ］の比率を示す。
【０００４】
以下の説明において、プログレッシブ信号のフレームレートを表す５０Ｐ，５９．９４Ｐ，６０Ｐを、「５０Ｐ−６０Ｐ」、４７．９５Ｐ，４８Ｐ，５０Ｐ，５９．９４Ｐ，６０Ｐを「４８Ｐ−６０Ｐ」と略記する。また、１００Ｐ，１１９．８８Ｐ，１２０Ｐを、「１００Ｐ−１２０Ｐ」と略記し、９５．９Ｐ，９６Ｐ，１００Ｐ，１１９．８８Ｐ，１２０Ｐを、「９６Ｐ−１２０Ｐ」と略記する。また、インターレース信号のフレームレートを表す５０Ｉ，５９．９４Ｉ，６０Ｉを、「５０Ｉ−６０Ｉ」、４７．９５Ｉ，４８Ｉ，５０Ｉ，５９．９４Ｉ，６０Ｉを、「４８Ｉ−６０Ｉ」と略記する。また、３８４０×２１６０／１００Ｐ−１２０Ｐ／４：４：４，４：２：２，４：２：０／１０ビット，１２ビット信号を、「３８４０×２１６０／１００Ｐ−１２０Ｐ信号」と略記する場合がある。
【先行技術文献】
【特許文献】
【０００５】
【特許文献１】特開２００５−３２８４９４号公報
【発明の概要】
【発明が解決しようとする課題】
【０００６】
近年のＳＭＰＴＥやＩＴＵでは、フレームレートが２３．９８Ｐ−６０Ｐである３８４０×２１６０や７６８０×４３２０の映像信号規格やインターフェース規格が標準化されつつある。また、映像データを伝送するためにモードＤ（後述する図６参照）を用いた場合、３８４０×２１６０／２３．９８Ｐ−３０Ｐの映像信号を１ｃｈの１０Ｇ−ＳＤＩで伝送出来る。しかし、フレームレートが１２０Ｐや１２０Ｐを超える映像信号を伝送するために対応可能なインターフェースについて議論されたり、標準化がなされたりしていなかった。また、１９２０×１０８０や２０４８×１０８０に対応する映像信号規格には、フレームレートが６０Ｐまでしか規定されていないため、特許文献１に記載されている技術を用いても、高画素の画素サンプルを既存のインターフェースで伝送できなかった。
【０００７】
また、ＳＭＰＴＥでは、４０９６×２１６０／２３．９８Ｐ−６０Ｐまでの映像信号規格や標準化されつつあるものの、信号送信装置と信号受信装置が備えるインターフェースの議論や標準化がなされていなかった。このため、４０９６×２１６０／２３．９８Ｐ−３０Ｐの映像信号を想定すると、映像データ領域に格納される画素サンプル数が増えるため、モードＤのライン構造のままでは画素サンプルを多重し、伝送できなかった。
【０００８】
さらに、映像信号が４０９６×２１６０である場合に、フレームレートが２３．９８Ｐ，２４Ｐ，２５Ｐ，２９．９７Ｐ，３０Ｐ，４７．９５Ｐ，４８Ｐ，５０Ｐ，５９．９４Ｐ，６０Ｐの範囲で規定されている。しかし、将来は現在用いられているフレームレート（例えば３０Ｐ）の３倍速信号である９０Ｐ、あるいは９０Ｐ以上のフレームレートの映像信号を伝送することも考慮しなければならない。このため、様々なフレームレートの映像信号を、現行の伝送インターフェースを利用して伝送する仕様を策定する必要があった。
【０００９】
本開示はこのような状況に鑑みて成されたものである。すなわち、１フレームの画素数がＨＤ−ＳＤＩフォーマットで規定される画素数を越え、かつ、高いフレームレートである映像信号を、ＨＤ−ＳＤＩインターフェースや１０Ｇｂｐｓのシリアルインターフェースを利用してシリアル伝送することを目的とする。
【課題を解決するための手段】
【００１０】
本開示は、１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ−ｂは、ａからｂの範囲で定められるプログレッシブ信号のフレームレート）／ｒ：ｇ：ｂ（ｒ，ｇ，ｂは、所定の信号伝送方式の映像フォーマットにおける信号比率）／１０ビット又は１２ビット信号で規定される信号を伝送するものである。
ここで、連続する第０ライン、第１ライン、第２ライン、及び第３ラインによってラインが定められ、かつ、連続する第１及び第２のクラスイメージから抽出した同一ラインで隣り合う２つの画素サンプルを間引いて、ｍ′×ｎ′（ｍ′サンプル、ｎ′ラインを示すｍ′，ｎ′は、正の整数）／ａ′−ｂ′（ａ′−ｂ′は、ａ′からｂ′の範囲で定められるプログレッシブ信号のフレームレート）／ｒ′：ｇ′：ｂ′（ｒ′，ｇ′，ｂ′は、所定の信号伝送方式の映像フォーマットにおける信号比率）／１０ビット又は１２ビット信号で規定される第１〜第８のサブイメージの映像データ領域に２つの画素サンプルをマッピングする。
このとき、第１のクラスイメージの第０ラインから２画素ずつ抽出した各画素サンプルを第１及び第２のサブイメージの映像データ領域に交互にマッピングし、第１のクラスイメージの第１ラインから２画素ずつ抽出した各画素サンプルを第３及び第４のサブイメージの映像データ領域に交互にマッピングし、第１のクラスイメージの第２ラインから２画素ずつ抽出した各画素サンプルを第５及び第６のサブイメージの映像データ領域に交互にマッピングし、第１のクラスイメージの第３ラインから２画素ずつ抽出した各画素サンプルを第７及び第８のサブイメージの映像データ領域に交互にマッピングする。
さらに、第２のクラスイメージの第０ラインから２画素ずつ抽出した各画素サンプルを第１及び第２のサブイメージの映像データ領域に交互にマッピングし、第２のクラスイメージの第１ラインから２画素ずつ抽出した各画素サンプルを第３及び第４のサブイメージの映像データ領域に交互にマッピングし、第２のクラスイメージの第２ラインから２画素ずつ抽出した各画素サンプルを第５及び第６のサブイメージの映像データ領域に交互にマッピングし、第２のクラスイメージの第３ラインから２画素ずつ抽出した各画素サンプルを第７及び第８のサブイメージの映像データ領域に交互にマッピングする。
そして、画素サンプルがマッピングされた第１〜第８のサブイメージのそれぞれの一ラインおきに画素サンプルを間引いて、一ラインおきに画素サンプルが間引かれた１フィールドのインターレース信号とし、ライン毎に間引かれた画素サンプルをワード毎に間引いて、ＳＭＰＴＥ４３５−１に規定される２つのＨＤ−ＳＤＩの映像データ領域にマッピングし、ＨＤ−ＳＤＩを出力するものである。
【００１１】
また、本開示は、ＨＤ−ＳＤＩを記憶部に保存し、記憶部から読み出した２つのＨＤ−ＳＤＩの映像データ領域から抽出した画素サンプルをライン毎にワード多重する。
次に、ワード多重された前記画素サンプルを、ｍ′×ｎ′（ｍ′サンプル、ｎ′ラインを示すｍ′，ｎ′は、正の整数）／ａ′−ｂ′（ａ′−ｂ′は、ａ′からｂ′の範囲で定められるプログレッシブ信号のフレームレート）／ｒ′：ｇ′：ｂ′（ｒ′，ｇ′，ｂ′は、所定の信号伝送方式の映像フォーマットにおける信号比率）／１０ビット又は１２ビット信号で規定される第１〜第８のサブイメージの映像データ領域に２画素ずつライン毎に多重してプログレッシブ信号とする。
そして、第１のサブイメージと第２のサブイメージから２画素ずつ抽出した画素サンプルを、１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ−ｂは、ａからｂの範囲で定められるプログレッシブ信号のフレームレート）／ｒ：ｇ：ｂ（ｒ，ｇ，ｂは、所定の信号伝送方式の映像フォーマットにおける信号比率）／１０ビット又は１２ビット信号で規定されるクラスイメージに多重する。
このとき、連続する第０ライン、第１ライン、第２ライン、及び第３ラインによってラインが定められ、かつ、連続する第１及び第２のクラスイメージに対して、第１及び第２のサブイメージの映像データ領域から２画素ずつ抽出した各画素サンプルを第１のクラスイメージの第０ラインに隣り合わせて多重し、第３及び第４のサブイメージの映像データ領域から２画素ずつ抽出した各画素サンプルを第１のクラスイメージの第１ラインに隣り合わせて多重し、第５及び第６のサブイメージの映像データ領域から２画素ずつ抽出した各画素サンプルを第１のクラスイメージの第２ラインに隣り合わせて多重し、第７及び第８のサブイメージの映像データ領域から２画素ずつ抽出した各画素サンプルを第１のクラスイメージの第３ラインに隣り合わせて多重する。
さらに、第１及び第２のサブイメージの映像データ領域から２画素ずつ抽出した各画素サンプルを第２のクラスイメージの第０ラインに隣り合わせて多重し、第３及び第４のサブイメージの映像データ領域から２画素ずつ抽出した各画素サンプルを第２のクラスイメージの第１ラインに隣り合わせて多重し、第５及び第６のサブイメージの映像データ領域から２画素ずつ抽出した各画素サンプルを第２のクラスイメージの第２ラインに隣り合わせて多重し、第７及び第８のサブイメージの映像データ領域から２画素ずつ抽出した各画素サンプルを第２のクラスイメージの第３ラインに隣り合わせて多重するものである。
【００１２】
また、本開示は、上記の映像信号を送信し、この映像信号を受信する信号伝送システムである。
【００１３】
本開示は、入力した映像信号に対して、連続する２フレーム（あるいは２フレーム以上）単位のクラスイメージに含まれる画素サンプルの２画素間引き、ライン間引き及びワード間引きを行い、ＨＤ−ＳＤＩの映像データ領域に画素サンプルを多重した信号を送信する。一方、受信した信号に対して、ＨＤ−ＳＤＩの映像データ領域から画素サンプルを抽出し、ワード多重、ライン多重、及び２画素多重を行って、映像信号を再生する。
【発明の効果】
【００１４】
本開示によれば、例えば、３８４０×２１６０／１００Ｐ−１２０Ｐ／４：４：４，４：２：２，４：２：０／１０ビット又は１２ビット信号（本明細書において１０ビット、１２ビット信号と表記する場合がある。）を伝送する場合に、各種の間引き処理を行って、モードＤのＨＤ−ＳＤＩの映像データ領域に画素サンプルをマッピングする。また、ＨＤ−ＳＤＩの映像データ領域から画素サンプルを抽出し、各種の多重処理を行って、３８４０×２１６０／１００Ｐ−１２０Ｐ／４：４：４，４：２：２，４：２：０／１０ビット又は１２ビット信号を再生する。このため、１フレームの画素数がＨＤ−ＳＤＩフォーマットで規定される画素数を越え、１００Ｐ−１２０Ｐあるいはこれ以上のハイヤーフレームレートの映像信号を送受信できる。また、新たな伝送規格を設けることなく、従来用いられていた伝送規格を利用できるので利便性が向上するという効果がある。
【図面の簡単な説明】
【００１５】
【図１】本開示の第１の実施の形態に係るテレビジョン放送局用のカメラ伝送システムの全体構成を示す図である。
【図２】本開示の第１の実施の形態に係る放送用カメラの回路構成のうち、信号送信装置の内部構成例を示すブロック図である。
【図３】本開示の第１の実施の形態に係るマッピング部の内部構成例を示すブロック図である。
【図４】３８４０×２１６０におけるＵＨＤＴＶ規格のサンプル構造の例を示す説明図である。
【図５】２４Ｐの場合における１０．６９２Ｇｂｐｓのシリアル・デジタルデータの１ライン分のデータ構造例を示す説明図である。
【図６】モードＤの例を示す説明図である。
【図７】本開示の第１の実施の形態に係るマッピング部が画素サンプルをマッピングする処理イメージを示す説明図である。
【図８】本開示の第１の実施の形態に係る２画素間引き制御部が第１及び第２のクラスイメージから画素サンプルを２画素ずつ間引いて第１〜第８のサブイメージにマッピングする処理例を示す説明図である。
【図９】本開示の第１の実施の形態に係る第１〜第８のサブイメージをライン間引きした後、ワード間引きをすることによって、ＳＭＰＴＥ３７２Ｍの規定に従ってＬｉｎｋＡ又はＬｉｎｋＢに分割する例を示す説明図である。
【図１０】ＳＭＰＴＥ３７２によるＬｉｎｋＡ，Ｂのデータ構造の例を示す説明図である。
【図１１】本開示の第１の実施の形態に係る多重部が行うデータの多重処理の例を示す説明図である。
【図１２】本開示の第１の実施の形態に係るＣＣＵの回路構成のうち、信号受信装置の内部構成例を示すブロック図である。
【図１３】本開示の第１の実施の形態に係る再生部の内部構成例を示すブロック図である。
【図１４】本開示の第２の実施の形態に係るマッピング部がＵＨＤＴＶ２クラスイメージに含まれる画素サンプルをＵＨＤＴＶ１クラスイメージにマッピングする処理イメージを示す説明図である。
【図１５】本開示の第２の実施の形態に係るマッピング部の内部構成例を示すブロック図である。
【図１６】本開示の第２の実施の形態に係る再生部の内部構成例を示すブロック図である。
【図１７】本開示の第３の実施の形態に係るマッピング部がＵＨＤＴＶ１クラスイメージに含まれる画素サンプルを第１〜第４Ｎのサブイメージにマッピングする処理イメージを示す説明図である。
【図１８】本開示の第４の実施の形態に係るマッピング部がフレームレートが５０Ｐ−６０ＰのＮ倍であるＵＨＤＴＶ２クラスイメージに含まれる画素サンプルを、５０Ｐ−６０ＰのＮ倍であるＵＨＤＴＶ１クラスイメージにマッピングする処理イメージを示す説明図である。
【図１９】モードＢの例を示す図である。
【図２０】本開示の第５の実施の形態に係るマッピング部が、フレームレートが９６Ｐ−１２０Ｐである４０９６×２１６０クラスイメージに含まれる画素サンプルを、第１〜第８のサブイメージにマッピングする処理イメージを示す説明図である。
【図２１】本開示の第５の実施の形態に係るマッピング部が、第１〜第８のサブイメージをライン間引き、ワード間引きしてモードＢにマッピングする例を示す説明図である。
【発明を実施するための形態】
【００１６】
以下、本開示を実施するための最良の形態（以下実施の形態とする。）について説明する。なお、説明は以下の順序で行う。
１．第１の実施の形態（画素サンプルのマッピング制御：３８４０×２１６０／１００Ｐ−１２０Ｐ／４：４：４，４：２：２，４：２：０／１０ビット，１２ビットの例）
２．第２の実施の形態（画素サンプルのマッピング制御：ＵＨＤＴＶ２  ７６８０×４３２０／１００Ｐ−１２０Ｐ／４：４：４，４：２：２，４：２：０／１０ビット，１２ビットの例）
３．第３の実施の形態（画素サンプルのマッピング制御：３８４０×２１６０／（５０Ｐ−６０Ｐ）×Ｎ／４：４：４，４：２：２，４：２：０／１０ビット，１２ビットの例）
４．第４の実施の形態（画素サンプルのマッピング制御：ＵＨＤＴＶ２，７６８０×４３２０／（５０Ｐ−６０Ｐ）×Ｎ／４：４：４，４：２：２，４：２：０／１０ビット，１２ビットの例）
５．第５の実施の形態（画素サンプルのマッピング制御：４０９６×２１６０／９６Ｐ−１２０Ｐ／４：４：４，４：２：２／１０ビット，１２ビットの例）
６．変形例
【００１７】
＜１．第１の実施の形態＞
［３８４０×２１６０／１００Ｐ−１２０Ｐ／４：４：４，４：２：２，４：２：０／１０ビット，１２ビットの例］
【００１８】
以下、本開示の第１の実施形態について、図１〜図１３を参照して説明する。
第１の実施の形態に係る伝送システムでは、３８４０×２１６０／１００Ｐ−１２０Ｐ／４：４：４，４：２：２，４：２：０／１０ビット，１２ビット信号の画素サンプルを間引く方式について説明する。なお、この信号は、ＳＭＰＴＥ Ｓ２０３６−１で規定される３８４０×２１６０／５０Ｐ−６０Ｐ／４：４：４，４：２：２，４：２：０／１０ビット，１２ビット信号に対してフレームレートが倍となる信号である。そして、色域（Colorimetry）は異なったとしても、禁止コードなどディジタル信号形式は同じであるとする。
【００１９】
図１は、本実施の形態を適用したテレビジョン放送局用の信号伝送システム１０の全体構成を示す図である。この信号伝送システム１０は、同一構成としてある複数台の放送用カメラ１及びＣＣＵ（カメラコントロールユニット）２で構成されており、各放送用カメラ１が光ファイバーケーブル３でＣＣＵ２に接続されている。放送用カメラ１は、シリアル・デジタル信号（映像信号）を送信する信号送信方法を適用した信号送信装置として用いられ、ＣＣＵ２は、シリアル・デジタル信号を受信する信号受信方法を適用した信号受信装置として用いられる。そして、放送用カメラ１とＣＣＵ２を組み合わせた伝送システム１０は、シリアル・デジタル信号を送受信する信号伝送システムとして用いられる。また、これらの装置で行われる処理はハードウェアが連携して行うだけでなく、プログラムを実行させることによっても実現することができる。
【００２０】
放送用カメラ１は、ＵＨＤＴＶ１の４ｋ×２ｋの超高解像度信号（３８４０×２１６０／１００Ｐ−１２０Ｐ／４：４：４，４：２：２，４：２：０／１０ビット，１２ビット信号）を生成し、ＣＣＵ２に送信する。
【００２１】
ＣＣＵ２は、各放送用カメラ１を制御したり、各放送用カメラ１から映像信号を受信したり、各放送用カメラ１のモニタに他の放送用カメラ１で撮影中の映像を表示させるための映像信号（リターンビデオ）を送信したりする。ＣＣＵ２は、各放送用カメラ１から映像信号を受信する信号受信装置として機能する。
【００２２】
［次世代２ｋ、４ｋ、８ｋ映像信号］
ここで、次世代の２ｋ、４ｋ、８ｋ映像信号について説明する。
様々なフレームレートの映像信号を送受信するインターフェースとして、モードＤ（後述する図６参照）として知られる伝送規格がＳＭＰＴＥ４３５−２に追加され、ＳＭＰＴＥ４３５−２−２００９として標準化が完了した。ＳＭＰＴＥ４３５−２には、１０．６９２Ｇｂｐｓのシリアルインターフェースに、ＳＭＰＴＥ２９２で規定された１０ビットのパラレルストリームであるＨＤ−ＳＤＩ複数ｃｈのデータを多重処理することについて記載されている。通常、ＨＤ−ＳＤＩのフィールドは、ＥＡＶ、水平補助データスペース（ＨＡＮＣデータ、水平ブランキング期間ともいう。）、ＳＡＶ、映像データの順に構成される。ＵＨＤＴＶ規格では、３８４０×２１６０／５０Ｐ−６０Ｐは２ｃｈの１０Ｇｂｐｓインターフェースで伝送し、７６８０×４３２０／５０Ｐ−６０Ｐは８ｃｈの１０Ｇｂｐｓインターフェースで伝送する方式がＳＭＰＴＥに提案された。この提案は、ＳＭＰＴＥ２０３６−３として規格の策定が行われている。
【００２３】
ＩＴＵやＳＭＰＴＥに提案されている映像規格は、１９２０×１０８０の２倍又は４倍のサンプル数及びライン数を持つ３８４０×２１６０や７６８０×４３２０の映像信号に関する。このうち、ＩＴＵで標準化されている映像規格はＬＳＤＩ（Large screen digital imagery）と呼ばれ、ＳＭＰＴＥに提案しているＵＨＤＴＶと呼ばれる。ＵＨＤＴＶに関しては次表１の映像信号が規定されている。
【００２４】
【表１】
0005870508.tif 000002
【００２５】
また、映画業界におけるディジタルカメラに採用される規格として、次表２，３には、２０４８×１０８０や４０９６×２１６０の信号規格がＳＭＰＴＥ２０４８−１，２として標準化されている。
【００２６】
【表２】
0005870508.tif 000003
【００２７】
【表３】
0005870508.tif 000004
【００２８】
［ＤＷＤＭ／ＣＷＤＭ波長多重伝送技術］
次に、ＤＷＤＭ／ＣＷＤＭ波長多重伝送技術について説明する。
複数の波長の光を１本の光ファイバーに多重して伝送する方法をＷＤＭ（Wavelength Division Multiplexing）と言う。ＷＤＭは波長間隔に応じて大まかに以下の３つの方式に分けられる。
【００２９】
（１）２波長多重方式
２波長多重方式は、１．３μｍ、１．５５μｍといった異なる波長の信号を、２波〜３波程度多重して１本の光ファイバーで伝送する方式である。
【００３０】
（２）ＤＷＤＭ（Dense Wavelength Division Multiplexing）方式
ＤＷＤＭは、特に１．５５μｍ帯にて光の周波数で２５ＧＨｚ、５０ＧＨｚ、１００ＧＨｚ、２００ＧＨｚ..、高密度に光を多重して伝送する方法である。この間隔は、約０．２ｎｍ、０．４ｎｍ、０．８ｎｍ.. 波長の間隔となる。ＩＴＵ−Ｔ（International Telecommunication Union Telecommunication standardization sector）にて中心波長その他の標準化が行われた。ＤＷＤＭは波長間隔が１００ＧＨｚと狭いために数十〜百と多くの多重数を取ることが出来、超大容量の通信が可能である。しかし、発振波長幅が波長間隔１００ＧＨｚより十分狭いことが必要であるとともに中心波長がＩＴＵ−Ｔ規格に一致するよう半導体レーザを温度制御する必要があるため、デバイスが高価であり、システムの消費電力が大きくなる。
【００３１】
（３）ＣＷＤＭ（Coarse Wavelength Division Multiplexing）方式
ＣＷＤＭは、波長間隔を１０ｎｍ〜２０ｎｍとＤＷＤＭより一桁以上広く取った波長多重技術である。波長間隔が比較的広いために半導体レーザの発振波長幅がＤＷＤＭほど狭帯域である必要が無く、また半導体レーザを温度制御する必要も無いので、システムを低価格、低消費電力化することが可能である。ＤＷＤＭほどの大容量が必要でないシステムに有効である。中心波長例については、現在のところ４ｃｈ構成で以下のものが一般的である。例えば、１．５１１μｍ、１．５３１μｍ、１．５５１μｍ、１．５７１μｍ、８ｃｈ構成で１．４７１μｍ、１．４９１μｍ、１．５１１μｍ、１．５３１μｍ、１．５５１μｍ、１．５７１μｍ、１．５９１μｍ、１．６１１μｍがある。
【００３２】
本実施の形態で説明する、３８４０×２１６０／１００Ｐ−１２０Ｐ／４：４：４，４：２：２，４：２：０／１０ビット，１２ビット信号のフレームレートは、ＳＭＰＴＥ Ｓ２０３６−１で規定される信号の倍である。上述したようにＳＭＰＴＥ Ｓ２０３６−１で規定される信号は、３８４０×２１６０／５０Ｐ−６０Ｐ／４：４：４，４：２：２，４：２：０／１０ビット，１２ビット信号である。そして、禁止コードなどディジタル信号形式はＳ２０３６−１で規定される従来の信号と同じであるとする。
【００３３】
図２は、放送用カメラ１の回路構成のうち、本実施の形態に関連する信号送信装置を示すブロック図である。放送用カメラ１内の撮像部及び映像信号処理部（図示略）によって生成された３８４０×２１６０／１００Ｐ−１２０Ｐ／４：４：４，４：２：２，４：２：０／１０ビット，１２ビット信号が、マッピング部１１に送られる。
【００３４】
３８４０×２１６０／１００Ｐ−１２０Ｐ／４：４：４，４：２：２，４：２：０／１０ビット，１２ビット信号は、ＵＨＤＴＶ１クラスイメージの１フレームに相当する。そして、この信号は、ワード長が１２ビットずつのＧデータ系列，Ｂデータ系列，Ｒデータ系列の同期を取って並列配置した、３６ビット幅としてある。この信号の１フレーム期間は１／１００、１／１１９．８８、１／１２０秒であり、１フレーム期間内に２１６０の有効ライン期間が含まれている。このため、１フレームの画素数は、ＨＤ−ＳＤＩフォーマットで規定された画素数を越える映像信号である。そして、映像信号に同期してオーディオ信号が入力される。
【００３５】
Ｓ２０３６−１で規定されるＵＨＤＴＶ１，２におけるアクティブラインのサンプル数は３８４０、ライン数は２１６０であり、Ｇデータ系列，Ｂデータ系列，Ｒデータ系列のアクティブラインには、それぞれＧ，Ｂ，Ｒの映像データが配置される。
【００３６】
そして、マッピング部１１は３８４０×２１６０／１００Ｐ−１２０Ｐ／４：４：４，４：２：２，４：２：０／１０ビット，１２ビット信号を、ＨＤ−ＳＤＩフォーマットで規定された３２チャンネルの伝送ストリームの映像データ領域にマッピングする。
【００３７】
［マッピング部の内部構成及び動作例］
ここで、マッピング１１の内部構成及び動作例を説明する。
図３は、マッピング部１１の内部構成例を示す。
マッピング部１１は、各部にクロックを供給するクロック供給回路２０と、３８４０×２１６０／１００Ｐ−１２０Ｐの映像信号を記憶するＲＡＭ２２を備える。また、マッピング部１１は、ＲＡＭ２２から連続する２フレーム単位のクラスイメージに含まれる画素サンプルを、２画素ずつ読み出す２画素間引き（インタリーブ）を制御する２画素間引き制御部２１を備える。また、間引かれた２画素サンプルを第１〜第８のサブイメージとして保存するＲＡＭ２３−１〜２３−８を備える。
【００３８】
また、マッピング部１１は、ＲＡＭ２３−１〜２３−８に保存される第１〜第８のサブイメージのライン間引きを制御するライン間引き制御部２４−１〜２４−８を備える。また、マッピング部１１は、ライン間引き制御部２４−１〜２４−８が間引いたラインを書き込むＲＡＭ２５−１〜２５−１６と、を備える。
【００３９】
また、マッピング部１１は、ＲＡＭ２５−１〜２５−１６から読出したデータのワード間引きを制御するワード間引き制御部２６−１〜２６−１６を備える。また、マッピング部１１は、ワード間引き制御部２６−１〜２６−１６が間引いたワードを書き込むＲＡＭ２７−１〜２７−３２と、を備える。
また、マッピング部１１は、ＲＡＭ２７−１〜２７−３２から読出したワードを３２チャンネルのＨＤ−ＳＤＩとして出力する読出し制御部２８−１〜２８−３２を備える。
【００４０】
なお、図３には、ＨＤ−ＳＤＩ１，２を生成する処理ブロックを記載したが、ＨＤ−ＳＤＩ３〜３２を生成するブロックも同様の構成例としているため、図示と詳細な説明を省略する。
【００４１】
次に、マッピング部１１の動作例を説明する。
始めに、クロック供給回路２０は、２画素間引き制御部２１ライン間引き制御部２４−１〜２４−８、ワード間引き制御部２６−１〜２６−１６、及び読出し制御部２８−１〜２８−３２にクロックを供給する。これらのクロックは、画素サンプルの読み出し又は書き込みに用いられ、これらのクロックにより各部が同期する。
【００４２】
不図示のイメージセンサから入力する１フレームの画素数が最大３８４０×２１６０である、ＨＤ−ＳＤＩフォーマットで規定される画素数を越えるＵＨＤＴＶ１のクラスイメージによって規定される映像信号は、ＲＡＭ２２に保存される。ＵＨＤＴＶ１のクラスイメージは、３８４０×２１６０／１００Ｐ−１２０Ｐ／４：４：４，４：２：２，４：２：０／１０ビット，１２ビットの映像信号を表す。一方、１９２０×１０８０／５０Ｐ−６０Ｐ／４：４：４，４：２：２，４：２：０／１０ビット，１２ビット信号を、「サブイメージ」と呼ぶ。本例では、ＵＨＤＴＶ１のクラスイメージから２画素毎に間引かれた画素サンプルが第１〜第８のサブイメージの映像データ領域にマッピングされることとなる。
【００４３】
２画素間引き制御部２１は、ＵＨＤＴＶ１のクラスイメージから連続する２フレーム単位で２画素サンプル毎に２フレーム単位で間引いて１９２０×１０８０／５０Ｐ−６０Ｐに相当する第１〜第８のサブイメージの有効領域にマッピングする。１９２０×１０８０／５０Ｐ−６０Ｐは、ＳＭＰＴＥ４３５−１で規定される。このマッピングの詳細な処理例は後述する。
【００４４】
次に、ライン間引き制御部２４−１〜２４−８は、プログレッシブ信号をインターレース信号に変換する。具体的には、ライン間引き制御部２４−１〜２４−８は、ＲＡＭ２３−１〜２３−８から第１〜第８のサブイメージの映像データ領域にマッピングされた画素サンプルを読出す。このとき、ライン間引き制御部２４−１〜２４−８は、１つのサブイメージを、２ｃｈの１９２０×１０８０／５０Ｉ−６０Ｉ／４：４：４，４：２：２，４：２：０／１０ビット，１２ビット信号に変換する。そして、第１〜第８のサブイメージの映像データ領域から１ラインおきに間引いてインターレース信号とした１９２０×１０８０／５０Ｉ−６０Ｉ信号をＲＡＭ２３−１〜２３−８に書き込む。
【００４５】
次に、ワード間引き制御部２６−１〜２６−１６は、ライン毎に間引かれた画素サンプルをワード毎に間引いて、ＳＭＰＴＥ４３５−１に規定されるＨＤ−ＳＤＩの映像データ領域にマッピングする。このとき、ワード間引き制御部２６−１〜２６−１６は、ＳＭＰＴＥ４３５−１に規定され、第１〜第８のサブイメージ毎に対応する４チャンネルのモードＤによって定まる１０．６９２Ｇｂｐｓストリームの映像データ領域に画素サンプルを多重する。つまり、ワード間引き制御部２６−１〜２６−１６は、１９２０×１０８０／５０Ｉ−６０Ｉ／４：４：４，４：２：２，４：２：０／１０ビット，１２ビット信号を、３２本のＨＤ−ＳＤＩに変換する。そして、第１〜第８のサブイメージのそれぞれに対し、ＳＭＰＴＥ４３５−１に規定される４本ずつのＨＤ−ＳＤＩの映像データ領域にマッピングする。
【００４６】
具体的には、ワード間引き制御部２６−１〜２６−１６は、ＲＡＭ２３−１〜２３−８からＳＭＰＴＥ３７２のＦｉｇｕｒｅ４，６，７，８，９と同じ方式でワード毎に間引いて画素サンプルを読出す。そして、ワード間引き制御部２６−１〜２６−１６は、読出した画素サンプルを、それぞれ２ｃｈの１９２０×１０８０／５０Ｉ−６０Ｉ信号に変換して、ＲＡＭ２７−１〜２７−３２に保存する。
【００４７】
そして、読出し制御部２８−１〜２８−３２は、ＲＡＭ２７−１〜２７−３２から読出した３２本のＨＤ−ＳＤＩの伝送ストリームを出力する。
具体的には、読出し制御部２８−１〜２８−３２は、クロック供給回路２０から供給された基準クロックでＲＡＭ２７−１〜２７−３２から画素サンプルを読出す。そして、２本のＬｉｎｋＡ、Ｂを１６対で構成した３２チャンネルのＨＤ−ＳＤＩ１〜３２を、後続のＳ／Ｐ・スクランブル・８Ｂ／１０Ｂ部１２に出力する。
【００４８】
なお、本例では、２画素間引き、ライン間引き、及びワード間引きを行うため、３種類のメモリ（ＲＡＭ２３−１〜２３−８、ＲＡＭ２５−１〜２５−１６、ＲＡＭ２７−１〜２７−３２）を用いて、３段階の間引き処理を行っている。しかし、一つのメモリに２画素間引き、ライン間引き、及びワード間引きして得たデータを３２ｃｈのＨＤ−ＳＤＩとして出力しても良い。
【００４９】
［ＵＨＤＴＶ信号規格のサンプル構造の例］
ここで、ＵＨＤＴＶ信号規格のサンプル構造の例について、図４を参照して説明する。
図４は、３８４０×２１６０におけるＵＨＤＴＶ信号規格のサンプル構造の例を示す説明図である。図４Ａ〜図４Ｂの説明に用いるフレームは、３８４０×２１６０で１フレームを構成する。
【００５０】
３８４０×２１６０における信号規格のサンプル構造は、以下の３種類がある。なお、ＳＭＰＴＥ規格において、Ｒ′Ｇ′Ｂ′のように、ダッシュ「′」をつけた信号は、ガンマ補正などが施された信号を示す。
【００５１】
図４Ａは、Ｒ′Ｇ′Ｂ′，Ｙ′Ｃｂ′Ｃｒ′  ４：４：４システムの例である。このシステムでは、全サンプルにＲＧＢ又はＹＣｂＣｒのコンポーネントが含まれる。
図４Ｂは、Ｙ′Ｃｂ′Ｃｒ′  ４：２：２システムの例である。このシステムでは、偶数サンプルにＹＣｂＣｒ、奇数サンプルにＹのコンポーネントが含まれる。
図４Ｃは、Ｙ′Ｃｂ′Ｃｒ′  ４：２：０システムの例である。このシステムでは、偶数サンプルにＹＣｂＣｒ、奇数サンプルにＹ、さらに奇数ラインのＣｂＣｒが間引かれたコンポーネントが含まれる。
【００５２】
［１０．６９２Ｇｂｐｓのシリアルデータの構成例］
次に、１ラインのＨＤ−ＳＤＩフォーマットで規定された１０．６９２Ｇｂｐｓのシリアルデータの構成例について、図５を参照して説明する。
【００５３】
図５は、フレームレートが２４Ｐである場合における１０．６９２Ｇｂｐｓのシリアル・デジタルデータの１ライン分のデータ構造例を示す。
この図では、ライン番号ＬＮ及び誤り検出符号ＣＲＣを含めたものをＳＡＶ，アクティブライン及びＥＡＶとして示し、付加データの領域を含めたものを水平補助データスペースとして示している。水平補助データスペースには、オーディオ信号がマッピングされており、オーディオ信号に補完データを追加して水平補助データスペースを構成することによって、入力されたＨＤ−ＳＤＩと同期を取ることができる。
【００５４】
［モードＤの説明］
次に、複数チャンネルのＨＤ−ＳＤＩに含まれるデータを多重化する例について、図６を参照して説明する。データを多重化する方式は、ＳＭＰＴＥ４３５−２にモードＤとして規定される。
【００５５】
図６は、モードＤの説明図である。
モードＤは、８チャンネル（ＣＨ１〜ＣＨ８）のＨＤ−ＳＤＩを多重化する方式であり、１０．６９２Ｇｂｐｓストリームの映像データ領域と水平補助データスペースのそれぞれにデータが多重されることを規定する。このとき、ＣＨ１，ＣＨ３，ＣＨ５，ＣＨ７のＨＤ−ＳＤＩの映像／ＥＡＶ／ＳＡＶデータが４０ビット抽出され、スクランブルされて４０ビットのデータに変換される。一方、ＣＨ２，ＣＨ４，ＣＨ６，ＣＨ８のＨＤ−ＳＤＩの映像／ＥＡＶ／ＳＡＶデータが３２ビット抽出され、８Ｂ／１０Ｂ変換によって、４０ビットのデータとされる。各データは足し合わされ、８０ビットのデータとされる。このエンコードされた８ワード（８０ビット）のデータが１０．６９２Ｇｂｐｓストリームの映像データ領域に多重される。
【００５６】
このとき、８０ビットのデータブロックのうち、前半の４０ビットのデータブロックには、偶数チャンネルの８Ｂ／１０Ｂ変換された４０ビットのデータブロックが割り当てられる。そして、後半の４０ビットのデータブロックには、奇数チャンネルのスクランブルされた４０ビットのデータブロックが割り当てられる。このため、１つのデータブロックには、例えば、ＣＨ２，ＣＨ１の順にデータブロックが多重される。このように順番を入れ替えている理由は、使用するモードを識別するためのコンテンツＩＤが、８Ｂ／１０Ｂ変換された偶数チャンネルの４０ビットのデータブロックに含まれるためである。
【００５７】
一方、ＣＨ１のＨＤ−ＳＤＩの水平補助データスペースは、８Ｂ／１０Ｂ変換されて、５０ビットのデータブロックにエンコードされる。そして、１０．６９２Ｇｂｐｓストリームの水平補助データスペースに多重される。ただし、ＣＨ２〜ＣＨ８のＨＤ−ＳＤＩの水平補助データスペースは伝送されない。
【００５８】
次に、マッピング部１１が画素サンプルをマッピングする工程の詳細な処理例を説明する。
図７は、マッピング部１１が、ＵＨＤＴＶ１クラスイメージの連続する第１及び第２フレームに含まれる画素サンプルを第１〜第８のサブイメージにマッピングし、さらに３２ｃｈのＨＤ−ＳＤＩに画素サンプルをマッピングする例を示す図である。
【００５９】
２画素間引き制御部２２は、１フレーム（１画面）を８分割する。これにより、３８４０×２１６０／１００Ｐ−１２０Ｐ／４：４：４，４：２：２，４：２：０／１０ビット、１２ビット信号を、８ｃｈの１９２０×１０８０／５０Ｐ−６０Ｐ／４:４:４，４：２：２，４：２：０／１０ビット，１２ビット信号にマッピングする。
【００６０】
このとき、１フレーム（１画面）が３８４０×２１６０／１００Ｐ−１２０Ｐ／４：４：４，４：２：２，４：２：０／１０ビット，１２ビット信号である第１フレームのＵＨＤＴＶ１クラスイメージからライン方向に２画素毎に画素サンプルを間引く。そして、２画素毎に間引いたそれぞれの信号を、８ｃｈの１９２０×１０８０／５０Ｐ−６０Ｐ／４：４：４，４：２：２，４：２：０／１０ビット，１２ビット信号の前半部分（１〜５４０ライン）にマッピングする。
【００６１】
その後、マッピング部１１は、第２フレームのＵＨＤＴＶ１クラスイメージからライン方向に２画素毎に画素サンプルを間引く。そして、２画素毎に間引いたそれぞれの信号を、８ｃｈの１９２０×１０８０／５０Ｐ−６０Ｐ／４：４：４，４：２：２，４：２：０／１０ビット，１２ビット信号の後半部分（５４１〜１０８０ライン）にマッピングする。そして、ＨＤイメージフォーマットの映像データ領域である１９２０サンプルにマッピングさせた、第１〜第８のサブイメージを作成する。以下の説明で、第１フレームのＵＨＤＴＶ１クラスイメージを「第１のクラスイメージ」と呼び、第２フレームのＵＨＤＴＶ１クラスイメージを「第２のクラスイメージ」と呼ぶ。
【００６２】
次に、ライン間引き制御部２４−１〜２４−８がライン間引きを行い、ワード間引き制御部２６−１〜２６−１６がワード間引きを行うことによって、３２ｃｈの１９２０×１０８０／２３．９８Ｐ−３０Ｐ／４：２：２／１０ビット信号を生成する。そして、読出し制御部２８−１〜２８−３２は、ＨＤ−ＳＤＩ１〜３２を読み出した後、１０ＧｂｐｓであるＬｉｎｋＡ，Ｂ，Ｃ，Ｄのクワッドリンクとして出力する。つまり、ＨＤ−ＳＤＩ  ８ｃｈを１０Ｇ  Ｍｏｄｅ  Ｄで伝送することとなる。
【００６３】
次に、マッピング部１１内の各処理ブロックが画素サンプルをマッピングする際の詳細な処理例を説明する。
図８は、２画素間引き制御部２１が第１及び第２のクラスイメージから画素サンプルを２画素ずつ間引いて第１〜第８のサブイメージへマッピングする処理の例を示す。
マッピング部１１は、ＵＨＤＴＶ１クラスイメージとして定義される３８４０×２１６０／１００Ｐ−１２０Ｐ／４：４：４，４：２：２，４：２：０／１０ビット，１２ビット信号の画素サンプルを第１〜第８のサブイメージにマッピングする。このとき、マッピング部１１は、ＵＨＤＴＶ１クラスイメージの同一ライン上で隣り合う２つの画素サンプルを２画素サンプルずつ間引いて第１〜第８のサブイメージにマッピングする。このマッピング処理は、マッピング部１１が備える２画素間引き制御部２１の制御によって行われる。
【００６４】
２画素間引き制御部２１は、３８４０×２１６０／１００Ｐ−１２０Ｐ／４：４：４，４：２：２，４：２：０／１０ビット，１２ビット信号をライン方向に２画素サンプル毎に間引いて第１〜第８のサブイメージの映像データ領域に多重する。第１〜第８のサブイメージは、８ｃｈの１９２０×１０８０／５０Ｐ−６０Ｐ／４：４：４，４：２：２，４：２：０／１０ビット，１２ビットで規定される。なお、３８４０×２１６０／１００Ｐ−１２０Ｐ／４：４：４，４：２：２，４：２：０／１０ビット，１２ビット信号は、Ｓ２０３６−１で規定される３８４０×２１６０／５０Ｐ−６０Ｐ／４：４：４，４：２：２，４：２：０／１０ビット，１２ビット信号に対してフレームレートを倍とした信号である。１９２０×１０８０／５０Ｐ−６０Ｐは、ＳＭＰＴＥ２７４Ｍで定義されている。３８４０×２１６０／１００Ｐ−１２０Ｐ／４：４：４，４：２：２，４：２：０／１０ビット，１２ビット信号の禁止コードなどディジタル信号形式は１９２０×１０８０／５０Ｐ−６０Ｐと同じである。
【００６５】
ここで、１フレームの画素数がＨＤ−ＳＤＩフォーマットで規定される画素数を越えるＵＨＤＴＶ１のクラスイメージは、以下のように規定される。すなわち、ｍ×ｎ（ｍサンプル、ｎラインを示すｍ，ｎは、正の整数）／ａ−ｂ（ａ−ｂは、ａからｂの範囲で定められるプログレッシブ信号のフレームレート）／ｒ：ｇ：ｂ（ｒ，ｇ，ｂは、所定の信号伝送方式の映像フォーマットにおける信号比率）／１０ビット又は１２ビット信号で規定される。本例では、ＵＨＤＴＶ１のクラスイメージにおける、ｍ×ｎが３８４０×２１６０であり、ａ−ｂが１００Ｐ，１１９．８８Ｐ，１２０Ｐのいずれかであり、ｒ：ｇ：ｂが４：４：４，４：２：２，４：２：０のいずれかである。ＵＨＤＴＶ１クラスイメージには、０ラインから２１５９ラインにわたって画素サンプルが格納されている。
【００６６】
そして、ＵＨＤＴＶ１のクラスイメージには、連続する第０ライン、第１ライン、第２ライン、及び第３ラインによってラインが定められる。２画素間引き制御部２１は、連続する第１及び第２のＵＨＤＴＶ１クラスイメージ内でそれぞれ連続する４本のラインの１ライン毎に同一ラインで隣り合う２つの画素サンプルを間引く。そして、ｍ′×ｎ′／ａ′−ｂ′／ｒ′：ｇ′：ｂ′／１０ビット又は１２ビット信号で規定される第１〜第８のサブイメージにマッピングする。ここで、ｍ′サンプル、ｎ′ラインを示すｍ′，ｎ′は、正の整数であり、ａ′−ｂ′は、ａ′からｂ′の範囲で定められるプログレッシブ信号のフレームレートであり、ｒ′，ｇ′，ｂ′は、所定の信号伝送方式の映像フォーマットにおける信号比率である。
【００６７】
この場合に、２画素間引き制御部２２は、ｍ′×ｎ′が１９２０×１０８０であり、ａ′−ｂ′が５０Ｐ−６０Ｐであり、ｒ′：ｇ′：ｂ′が４：４：４，４：２：２，４：２：０のいずれかである第１〜第８のサブイメージの映像データ領域に画素サンプルをマッピングする。このとき、第１のクラスイメージの第０ラインの各画素サンプルを第１及び第２のサブイメージの映像データ領域に交互にマッピングし、第１のクラスイメージの第１ラインの各画素サンプルを第３及び第４のサブイメージの映像データ領域に交互にマッピングする。また、第１のクラスイメージの第２ラインの各画素サンプルを第５及び第６のサブイメージの映像データ領域に交互にマッピングし、第１のクラスイメージの第３ラインの各画素サンプルを第７及び第８のサブイメージの映像データ領域に交互にマッピングする。さらに、第２のクラスイメージの第０ラインの各画素サンプルを第１及び第２のサブイメージの映像データ領域に交互にマッピングし、第２のクラスイメージの第１ラインの各画素サンプルを第３及び第４のサブイメージの映像データ領域に交互にマッピングする。そして、第２のクラスイメージの第２ラインの各画素サンプルを第５及び第６のサブイメージの映像データ領域に交互にマッピングし、第２のクラスイメージの第３ラインの各画素サンプルを第７及び第８のサブイメージの映像データ領域に交互にマッピングする。
【００６８】
具体的には、第１のクラスイメージの各ラインから抽出される画素サンプルは以下のように定義される。以下、「第ｓサンプル」として示される “ｓ”は、第１〜第８のサブイメージのうち、第ｓのサブイメージに第ｓサンプルとして規定した画素サンプルがマッピングされることを表している。
（１）第０ライン：第１サンプル、第１サンプル、第２サンプル、第２サンプル、第１サンプル、第１サンプル、第２サンプル、第２サンプル、・・・
（２）第１ライン：第３サンプル、第３サンプル、第４サンプル、第４サンプル、第３サンプル、第３サンプル、第４サンプル、第４サンプル、・・・
（３）第２ライン：第５サンプル、第５サンプル、第６サンプル、第６サンプル、第５サンプル、第５サンプル、第６サンプル、第６サンプル、・・・
（４）第３ライン：第７サンプル、第７サンプル、第８サンプル、第８サンプル、第７サンプル、第７サンプル、第８サンプル、第８サンプル、・・・
（５）第４ライン：第１サンプル、第１サンプル、第２サンプル、第２サンプル、第１サンプル、第１サンプル、第２サンプル、第２サンプル、・・・
（６）第５ライン：第３サンプル、第３サンプル、第４サンプル、第４サンプル、第３サンプル、第３サンプル、第４サンプル、第４サンプル、・・・
（７）第６ライン：第５サンプル、第５サンプル、第６サンプル、第６サンプル、第５サンプル、第５サンプル、第６サンプル、第６サンプル、・・・
（８）第７ライン：第７サンプル、第７サンプル、第８サンプル、第８サンプル、第７サンプル、第７サンプル、第８サンプル、第８サンプル、・・・
．
．
．
【００６９】
このように、第１のクラスイメージに含まれる画素を間引いてマッピングする処理が終わると、引き続き第２のクラスイメージに含まれる画素を間引いてマッピングする処理が開始される。このとき、第１のクラスイメージと同様に、第２のクラスイメージにおける、第０ラインにおける隣り合う２つの画素サンプルをそれぞれ第１及び第２のサブイメージの映像データ領域における後半部分のラインにマッピングする。同様に、第１ライン〜第７ラインにおける隣り合う２つの画素サンプルを、それぞれ第３及び第４のサブイメージ、第５及び第６のサブイメージ、第７及び第８のサブイメージの映像データ領域における後半部分のラインにマッピングする。このとき、各画素サンプルがＳＭＰＴＥ２７４で定義される８ｃｈの１９２０×１０８０／５０Ｐ−６０Ｐ／４：４：４，４：２：２／１０ビット，１２ビットにマッピングされる。
【００７０】
２画素が間引かれ、第１〜第８のサブイメージにマッピングされた画素サンプル数は、３８４０÷２＝１９２０サンプルである。連続する２フレーム毎に２画素が間引かれた後のライン数は、２×２１６０÷４＝１０８０ラインである。このため、１９２０×１０８０の映像データ領域と、第１及び第２のクラスイメージから間引かれて多重される画素サンプル数及びライン数が一致する。次に、ライン間引き制御部２４−１〜２４−８は、画素サンプルがマッピングされた第１〜第８のサブイメージのそれぞれの一ラインおきに画素サンプルを間引いてインターレース信号とする。
【００７１】
ここで、マッピング部１１は、４：２：０信号の０にはＣｃｈのデフォルト値である２００ｈ（１０ビットシステム）、８００ｈ（１２ビットシステム）をマッピングすることで、４：２：０を４：２：２と同等に扱っている。そして、第１〜第８のサブイメージは、それぞれＲＡＭ２３−１〜２３−８に保存される。
【００７２】
図９は、第１〜第８のサブイメージをライン間引きした後、ワード間引きをすることによって、ＳＭＰＴＥ３７２Ｍの規定に従ってＬｉｎｋＡ又はＬｉｎｋＢに分割する処理の例を示す。
【００７３】
ＳＭＰＴＥ４３５は、１０Ｇインターフェースの規格である。この規格は、複数チャンネルのＨＤ−ＳＤＩ信号を、２画素（４０ビット）単位で８Ｂ／１０Ｂエンコーディングして５０ビットに変換し、チャンネル毎に多重することを定める。さらに、この規格は、ビットレート１０．６９２Ｇｂｐｓまたは１０．６９２Ｇｂｐｓ／１．００１（以下単に１０．６９２Ｇｂｐｓと記載する）でシリアル伝送することを定めている。４ｋ×２ｋ信号をＨＤ−ＳＤＩ信号にマッピングする技術は、ＳＭＰＴＥ４３５  Ｐａｒｔ１の６．４  Ｏｃｔａ  リンク  １．５  Ｇｂｐｓ  ＣｌａｓｓのＦｉｇｕｒｅ３及びＦｉｇｕｒｅ４に示される。
【００７４】
そして、１９２０×１０８０／５０Ｐ−６０Ｐ／４：４：４，４：２：２／１０ビット，１２ビット信号で設定される第１〜第８のサブイメージから、ＳＭＰＴＥ４３５−１のＦｉｇｕｒｅ２に定義される方式でライン間引きが行われる。本例では、ライン間引き制御部２４−１〜２４−８は、第１〜第８のサブイメージを形成する１９２０×１０８０／５０Ｐ−６０Ｐ信号をライン毎に間引いて２ｃｈのインターレース信号（１９２０×１０８０／５０Ｉ−６０Ｉ信号）を生成する。１９２０×１０８０／５０Ｉ−６０Ｉ／４：４：４，４：２：２，４：２：０／１０ビット，１２ビット信号は、ＳＭＰＴＥ２７４Ｍで定義される信号である。
【００７５】
その後、ワード間引き制御部２６−１〜２６−１６は、ライン間引きされた信号が４：４：４の１０ビット、１２ビットあるいは４：２：２の１２ビット信号である場合には更にワード間引きした後、それぞれ４ｃｈの１．５ＧｂｐｓのＨＤ−ＳＤＩで伝送する。ここで、ワード間引き制御部２６−１〜２６−１６は、１９２０×１０８０／５０Ｉ−６０Ｉ信号を含むチャンネル１，２を、以下のようにＬｉｎｋＡ，Ｂにマッピングする。
【００７６】
図１０は、ＳＭＰＴＥ３７２によるＬｉｎｋＡ，Ｂのデータ構造の例を示す。
図１０Ａに示すように、ＬｉｎｋＡは、１サンプルが２０ビットであり、全てのビットがＲＧＢの値を表している。
図１０Ｂに示すように、ＬｉｎｋＢも、１サンプルが２０ビットであるが、１０ビットのＲ′Ｇ′Ｂ′ｎ：０−１のうち、ビットナンバー２〜７の６ビットのみがＲＧＢの値を表している。したがって１サンプル中でＲＧＢの値を表しているビット数は１６ビットである。
【００７７】
４：４：４の場合には、ワード間引き制御部２６−１〜２６−１６は、ＳＭＰＴＥ Ｓ３７２のＦｉｇｕｒｅ４（１０ビット）あるいはＦｉｇｕｒｅ６（１２ビット）に記載された方式でＬｉｎｋＡ，Ｂ（ＨＤ−ＳＤＩ２ｃｈ）にマッピングする。
４：２：２の場合には、ワード間引き制御部２６−１〜２６−１６は、ＬｉｎｋＢは使用せず、ＣＨ１，３，５，７のみ使用する。
【００７８】
そして、読出し制御部２８−１〜２８−３２は、３８４０×２１６０／１００Ｐ−１２０Ｐ／４：４：４，４：２：２，４：２：０／１０ビット，１２ビット信号を、４ｃｈのモードＤで規定される１０．６９２Ｇｂｐｓの伝送ストリームに多重して伝送する。この多重方式には、特開２００８−０９９１８９号公報に開示された方式が用いられる。
【００７９】
このようにして、マッピング部１１は第１〜第８のサブイメージから３２ｃｈのＨＤ−ＳＤＩを生成する。つまり、３８４０×２１６０／１００Ｐ−１２０Ｐ／４：４：４，４：２：２，４：２：０／１０ビット，１２ビット信号は、合計３２ｃｈのＨＤ−ＳＤＩで伝送することができる。なお、４：２：２／１０ビットの場合には１６ｃｈのＨＤ−ＳＤＩで伝送することとなる。
【００８０】
マッピング部１１によってマッピングされたＣＨ１〜ＣＨ３２のＨＤ−ＳＤＩ信号は、図２に示すようにＳ／Ｐ・８Ｂ／１０Ｂ部１２に送られる。そして、８ビット／１０ビットエンコーディングされた５０ビット幅のパラレル・デジタルデータは、ＰＬＬ１３から受け取る３７．１２５ＭＨｚのクロックによって不図示のＦＩＦＯメモリに書き込まれる。その後、ＰＬＬ１３から受け取る８３．５３１２ＭＨｚのクロックによって５０ビット幅のままＦＩＦＯメモリから読み出されて、多重部１４に送られる。
【００８１】
図１１は、多重部１４が行うデータの多重処理の例を示す。
図１１Ａは、スクランブルされたＣＨ１〜ＣＨ８の各４０ビットのデータが、ＣＨ１とＣＨ２、ＣＨ３とＣＨ４、ＣＨ５とＣＨ６、ＣＨ７とＣＨ８のペアの順番が入れ替えられて、３２０ビット幅に多重される様子を示す。
図１１Ｂは、８Ｂ１０Ｂ変換された５０ビット／サンプルのデータが、２００ビット幅の４サンプルに多重される様子を示す。
【００８２】
このように、８ビット／１０ビットエンコーディングされたデータを、自己同期型スクランブルを掛けたデータで４０ビット毎に挟んでいる。これにより、スクランブル方式によるマーク率（０と１の割合）変動や、０−１、１−０の遷移の不安定さを解消し、パソロジカルパターンの発生を防止することができる。
【００８３】
また、多重部１４は、Ｓ／Ｐ・スクランブル・８Ｂ／１０Ｂ部１２内のＦＩＦＯメモリから読み出されたＣＨ１の水平ブランキング期間のみが５０ビット幅であるパラレル・デジタルデータを、４サンプル分多重して２００ビット幅にする。
【００８４】
多重部１４によって多重された３２０ビット幅のパラレル・デジタルデータと２００ビット幅のパラレル・デジタルデータは、データ長変換部１５に送られる。データ長変換部１５は、シフトレジスタを用いて構成されている。そして、３２０ビット幅のパラレル・デジタルデータを２５６ビット幅に変換したデータと、２００ビット幅のパラレル・デジタルデータを２５６ビット幅に変換したデータとを用いて、２５６ビット幅のパラレル・デジタルデータを形成する。さらに、２５６ビット幅のパラレル・デジタルデータを１２８ビット幅に変換する。
【００８５】
データ長変換部１５からＦＩＦＯメモリ１６を介して送られた６４ビット幅のパラレル・デジタルデータは、多チャンネルデータ形成部１７で、各々がビットレート６６８．２５Ｍｂｐｓを有する１６チャンネル分のシリアル・デジタルデータとして形成される。多チャンネルデータ形成部１７は、例えばＸＳＢＩ（Ten gigabit Sixteen Bit Interface：１０ギガビットイーサネット（登録商標）のシステムで使用される１６ビットインタフェース）である。多チャンネルデータ形成部１７によって形成された１６チャンネルのシリアル・デジタルデータは、多重・Ｐ／Ｓ変換部１８に送られる。
【００８６】
多重・Ｐ／Ｓ変換部１８は、パラレル／シリアル変換部としての機能を有しており、多チャンネルデータ形成部１７から受け取る１６チャンネルのシリアル・デジタルデータを多重し、その多重したパラレル・デジタルデータをパラレル／シリアル変換する。これにより、６６８．２５Ｍｂｐｓ×１６＝１０．６９２Ｇｂｐｓのシリアル・デジタルデータを生成する。
【００８７】
多重・Ｐ／Ｓ変換部１８によって生成されたビットレート１０．６９２Ｇｂｐｓのシリアル・デジタルデータは、光電変換部１９に送られる。光電変換部１９は、ビットレート１０．６９２Ｇｂｐｓのシリアル・デジタルデータをＣＣＵ２に出力する出力部として機能する。そして、光電変換部１９は、多重部１４によって多重された１０．６９２Ｇｂｐｓの伝送ストリームを出力する。光電変換部１９によって光信号に変換されたビットレート１０．６９２Ｇｂｐｓのシリアル・デジタルデータは、放送用カメラ１から光ファイバーケーブル３経由でＣＣＵ２に伝送される。
【００８８】
本例の放送用カメラ１を用いることによって、イメージセンサから入力した３８４０×２１６０／１００Ｐ−１２０Ｐ／４：４：４，４：２：２，４：２：０／１０ビット，１２ビット信号をシリアル・デジタルデータとして送信することができる。本例の信号送信装置及び信号送信方法では、３８４０×２１６０／１００Ｐ−１２０Ｐ／４：４：４，４：２：２，４：２：０／１０ビット，１２ビット信号をＣＨ１〜ＣＨ３２のＨＤ−ＳＤＩ信号に変換する。その後、１０．６９２Ｇｂｐｓのシリアル・デジタルデータとして出力する。
【００８９】
なお、各放送用カメラ１からＣＣＵ２には、３８４０×２１６０／１００Ｐ−１２０Ｐ／４：４：４，４：２：２，４：２：０／１０ビット，１２ビット信号が伝送されるだけでない。すなわち、ＣＣＵ２からも前述のリターンビデオ（他の放送用カメラ１で撮影中の映像を表示させるための映像信号）が光ファイバーケーブル３経由で各放送用カメラ１に伝送される。リターンビデオは周知の技術を用いて生成される（例えば、２チャンネル分のＨＤ−ＳＤＩ信号を、それぞれ８ビット／１０ビットエンコーディングした後、多重してシリアル・デジタルデータに変換する）ので、そのための回路構成の説明は省略する。
【００９０】
［ＣＣＵの内部構成及び動作例］
次に、ＣＣＵ２の内部構成例を説明する。
図１２は、ＣＣＵ２の回路構成のうち、本実施の形態に関連する部分を示すブロック図である。ＣＣＵ２には、このような回路が、各放送用カメラ１に一対一に対応して複数組設けられている。
【００９１】
放送用カメラ１から光ファイバーケーブル３を経由して伝送されたビットレート１０．６９２Ｇｂｐｓのシリアル・デジタルデータは、光電変換部３１によって電気信号に変換された後、Ｓ／Ｐ変換・多チャンネルデータ形成部３２に送られる。Ｓ／Ｐ変換・多チャンネルデータ形成部３２は、例えばＸＳＢＩである。そして、Ｓ／Ｐ変換・多チャンネルデータ形成部３２は、ビットレート１０．６９２Ｇｂｐｓのシリアル・デジタルデータを受信する。
【００９２】
Ｓ／Ｐ変換・多チャンネルデータ形成部３２は、ビットレート１０．６９２Ｇｂｐｓのシリアル・デジタルデータをシリアル／パラレル変換する。そして、シリアル／パラレル変換したパラレル・デジタルデータから、各々がビットレート６６８．２５Ｍｂｐｓを有する１６チャンネル分のシリアル・デジタルデータを形成するとともに、６６８．２５ＭＨｚのクロックを抽出する。
【００９３】
Ｓ／Ｐ変換・多チャンネルデータ形成部３２によって形成された１６チャンネルのパラレル・デジタルデータは、多重部３３に送られる。また、Ｓ／Ｐ変換・多チャンネルデータ形成部３２によって抽出された６６８．２５ＭＨｚのクロックは、ＰＬＬ３４に送られる。
【００９４】
多重部３３は、Ｓ／Ｐ変換・多チャンネルデータ形成部３２から受け取る１６チャンネルのシリアル・デジタルデータを多重して、６４ビット幅のパラレル・デジタルデータをＦＩＦＯメモリ３５に送る。
【００９５】
ＰＬＬ３４は、Ｓ／Ｐ変換・多チャンネルデータ形成部３２から受け取る６６８．２５ＭＨｚのクロックを４分の１に分周した１６７．０６２５ＭＨｚのクロックをＦＩＦＯメモリ３５に書込みクロックとして送る。
【００９６】
またＰＬＬ３４は、Ｓ／Ｐ変換・多チャンネルデータ形成部３２から受け取る６６８．２５ＭＨｚのクロックを８分の１に分周した８３．５３１２ＭＨｚのクロックを、ＦＩＦＯメモリ３５に読出しクロックとして送る。さらに、後述するデスクランブル・８Ｂ／１０Ｂ・Ｐ／Ｓ部３８内のＦＩＦＯメモリに、８３．５３１２ＭＨｚのクロックを書込みクロックとして送る。
【００９７】
またＰＬＬ３４は、Ｓ／Ｐ変換・多チャンネルデータ形成部３２から受け取る６６８．２５ＭＨｚのクロックを１８分の１に分周した３７．１２５ＭＨｚのクロックを、デスクランブル・８Ｂ／１０Ｂ・Ｐ／Ｓ部３８内のＦＩＦＯメモリに読出しクロックとして送る。また、ＰＬＬ３４は、デスクランブル・８Ｂ／１０Ｂ・Ｐ／Ｓ部３８内のＦＩＦＯメモリに３７．１２５ＭＨｚのクロックを書込みクロックとして送る。
【００９８】
またＰＬＬ３４は、Ｓ／Ｐ変換・多チャンネルデータ形成部３２から受け取る６６８．２５ＭＨｚのクロックを９分の１に分周した７４．２５ＭＨｚのクロックを、デスクランブル・８Ｂ／１０Ｂ・Ｐ／Ｓ部３８内のＦＩＦＯメモリに読出しクロックとして送る。
【００９９】
ＦＩＦＯメモリ３５では、多重部３３から受け取る６４ビット幅のパラレル・デジタルデータが、ＰＬＬ３４から受け取る１６７．０６２５ＭＨｚのクロックによって書き込まれる。ＦＩＦＯメモリ３５に書き込まれたパラレル・デジタルデータは、ＰＬＬ３４から受け取る８３．５３１２ＭＨｚのクロックによって１２８ビット幅のパラレル・デジタルデータとして読み出されて、データ長変換部３６に送られる。
【０１００】
データ長変換部３６は、シフトレジスタを用いて構成されており、１２８ビット幅のパラレル・デジタルデータを、２５６ビット幅に変換する。そして、データ長変換部３６は、タイミング基準信号ＳＡＶまたはＥＡＶに挿入されているＫ２８．５を検出する。これにより各ライン期間を判別して、タイミング基準信号ＳＡＶ，アクティブライン，タイミング基準信号ＥＡＶ，ライン番号ＬＮ及び誤り検出符号ＣＲＣのデータを３２０ビット幅に変換する。さらに、水平補助データスペースのデータ（８Ｂ／１０ＢエンコーディングされたＣＨ１の水平補助データスペースのデータ）を２００ビット幅に変換する。データ長変換部３６によってデータ長を変換された３２０ビット幅のパラレル・デジタルデータと２００ビット幅のパラレル・デジタルデータとは、分離部３７に送られる。
【０１０１】
分離部３７は、データ長変換部３６から受け取る３２０ビット幅のパラレル・デジタルデータを、放送用カメラ１内の多重部１４によって多重される前の４０ビットずつのＣＨ１〜ＣＨ３２のデータに分離する。このパラレル・デジタルデータには、タイミング基準信号ＳＡＶ，アクティブライン，タイミング基準信号ＥＡＶ，ライン番号ＬＮ及び誤り検出符号ＣＲＣのデータが含まれる。そして、各ＣＨ１〜ＣＨ３２の４０ビット幅のパラレル・デジタルデータを、デスクランブル・８Ｂ／１０Ｂ・Ｐ／Ｓ部３８に送る。
【０１０２】
また、分離部３７は、データ長変換部３６から受け取る２００ビット幅のパラレル・デジタルデータを、多重部１４によって多重される前の５０ビットずつのデータに分離する。このパラレル・デジタルデータには、８Ｂ／１０ＢエンコーディングされたＣＨ１の水平補助データスペースのデータが含まれる。そして、この５０ビット幅のパラレル・デジタルデータを、デスクランブル・８Ｂ／１０Ｂ・Ｐ／Ｓ部３８に送る。
【０１０３】
デスクランブル・８Ｂ／１０Ｂ・Ｐ／Ｓ部３８は、ＣＨ１〜ＣＨ３２に一対一に対応する３２個のブロックによって構成される。本例のデスクランブル・８Ｂ／１０Ｂ・Ｐ／Ｓ部３８は、映像信号がマッピングされ、それぞれが第１のリンクチャンネルと第２のリンクチャンネルに分割され、かつ２ラインに分割された第１〜第８のサブイメージを受信する受信部として機能する。
【０１０４】
デスクランブル・８Ｂ／１０Ｂ・Ｐ／Ｓ部３８は、ＬｉｎｋＡであるＣＨ１，ＣＨ３，ＣＨ５，ＣＨ７，…，ＣＨ３１用のブロックを備え、入力したパラレル・デジタルデータにデスクランブルを掛けて、シリアル・デジタルデータに変換して出力する。
また、デスクランブル・８Ｂ／１０Ｂ・Ｐ／Ｓ部３８は、ＬｉｎｋＢであるＣＨ２，ＣＨ４，ＣＨ６，ＣＨ８，…，ＣＨ３２用のブロックを備え、入力したパラレル・デジタルデータを８Ｂ／１０Ｂにデコードする。そして、シリアル・デジタルデータに変換して出力する。
【０１０５】
再生部３９は、デスクランブル・８Ｂ／１０Ｂ・Ｐ／Ｓ部３８から送られたＣＨ１〜ＣＨ３２（ＬｉｎｋＡ及びＬｉｎｋＢ）のＨＤ−ＳＤＩ信号に、ＳＭＰＴＥ  ４３５に従って放送用カメラ１内のマッピング部１１の処理と逆の処理を施す。この処理により、再生部３９は、３８４０×２１６０／１００Ｐ−１２０Ｐ／４：４：４，４：２：２，４：２：０／１０ビット，１２ビット信号を再生する。
【０１０６】
このとき、再生部３９は、Ｓ／Ｐ変換多チャンネルデータ形成部３２が受信したＨＤ−ＳＤＩ１〜３２より、ワード多重、ライン多重、２画素多重の処理を順に行うことで第１〜第８のサブイメージを再生する。そして、再生部３９は、第１〜第８のサブイメージの映像データ領域に配置された画素サンプルを２画素ずつ取り出して、ＵＨＤＴＶ１クラスイメージの第１及び第２のフレーム内に順に多重する。
【０１０７】
再生部３９によって再生された３８４０×２１６０／１００Ｐ−１２０Ｐ／４：４：４，４：２：２，４：２：０／１０ビット，１２ビット信号は、ＣＣＵ２から出力されて、例えばＶＴＲ等（図示略）に送られる。
【０１０８】
本例においてＣＣＵ２は、放送用カメラ１によって生成されたシリアル・デジタルデータを受信する側の信号処理を行う。この信号受信装置，信号受信方法では、このビットレート１０．６９２Ｇｂｐｓのシリアル・デジタルデータからパラレル・デジタルデータが生成され、このパラレル・デジタルデータが、ＬｉｎｋＡ，ＬｉｎｋＢの各チャンネルのデータに分離される。
【０１０９】
分離されたＬｉｎｋＡのデータについては、自己同期型デスクランブルが掛けられるが、タイミング基準信号ＳＡＶの直前でデスクランブラ内のレジスタの値を全て０にセットしてデコードが開始される。さらに、誤り検出符号ＣＲＣに続く少なくとも数ビットのデータにも自己同期型デスクランブルが掛けられる。これにより、タイミング基準信号ＳＡＶ，アクティブライン，タイミング基準信号ＥＡＶ，ライン番号ＬＮ及び誤り検出符号ＣＲＣのデータのみに自己同期型スクランブルが掛けられる。このため、水平補助データスペースのデータには自己同期型スクランブルが掛けられていないにもかかわらず、掛け算回路であるデスクランブラの桁上がりを考慮した正確な計算を行って元のデータを再生することができる。
【０１１０】
一方、分離されたＬｉｎｋＢのデータについては、８ビット／１０ビットデコーディングしたＲＧＢのビットから、ＬｉｎｋＢの各サンプルのデータが形成される。そして、自己同期型デスクランブルを掛けられたＬｉｎｋＡのパラレル・デジタルデータと、各サンプルを形成されたＬｉｎｋＢのパラレル・デジタルデータとがそれぞれパラレル／シリアル変換される。そして、マッピングされたＣＨ１〜ＣＨ３２のＨＤ−ＳＤＩ信号が再生される。
【０１１１】
図１３は、再生部３９の内部構成例を示す。
再生部３９は、マッピング部１１が画素サンプルに行った処理を逆変換するブロックである。
【０１１２】
再生部３９は、各部にクロックを供給するクロック供給回路４１を備える。クロック供給回路４１は、２画素多重制御部４２、ライン多重制御部４５−１〜４５−８、ワード多重制御部４７−１〜４７−１６、及び書込み制御部４９−１〜４９−３２にクロックを供給する。このクロックにより各部が同期して、画素サンプルの読み出し又は書き込みが制御される。
【０１１３】
また、再生部３９は、ＳＭＰＴＥ４３５−２に規定されるモードＤの３２本のＨＤ−ＳＤＩ１〜３２をそれぞれ記憶するＲＡＭ４８−１〜４８−３２を備える。上述したようにＨＤ−ＳＤＩ１〜３２は、それぞれ１９２０×１０８０／５０Ｉ−６０Ｉ信号を構成する。そして、ＨＤ−ＳＤＩ１〜３２には、デスクランブル・８Ｂ／１０Ｂ・Ｐ／Ｓ部３８から入力されたＬｉｎｋＡであるＣＨ１，ＣＨ３，ＣＨ５，ＣＨ７，…，ＣＨ３１と、ＬｉｎｋＢであるＣＨ２，ＣＨ４，ＣＨ６，ＣＨ８，…，ＣＨ３２が用いられる。
【０１１４】
書込み制御部４９−１〜４９−３２は、クロック供給回路４１から供給されるクロックに合わせて、入力した３２本のＨＤ−ＳＤＩ１〜３２をＲＡＭ４８−１〜４８−３２に保存する書込み制御を行う。
【０１１５】
また、再生部３９は、ワード多重（デインタリーブ）を制御するワード多重制御部４７−１〜４７−１６と、ワード多重制御部４７−１〜４７−１６が多重したデータを書き込むＲＡＭ４６−１〜４６−１６を備える。また、再生部３９は、ライン多重を制御するライン多重制御部４５−１〜４５−８と、ライン多重制御部４５−１〜４５−８が多重したデータを書き込むＲＡＭ４４−１〜４４−８を備える。
【０１１６】
ワード多重制御部４７−１〜４７−１６は、ＳＭＰＴＥ４３５−２に規定され、第１〜第８のサブイメージ毎に対応する４チャンネルのモードＤによって定まる１０．６９２Ｇｂｐｓストリームの映像データ領域から抽出した画素サンプルをライン毎に多重する。このとき、ワード多重制御部４７−１〜４７−１６は、ＲＡＭ４８−１〜４８−３２から読み出したＨＤ−ＳＤＩの映像データ領域から抽出した画素サンプルを、ワードを逆変換したライン毎に画素サンプルを多重する。この多重処理は、ＳＭＰＴＥ３７２のＦｉｇｕｒｅ４，６，７，８，９に従って行われる。具体的には、ワード多重制御部４７−１〜４７−１６は、（ＲＡＭ４８−１，４８−２）、（ＲＡＭ４８−３，４８−４）、…、（ＲＡＭ４８−３１，４８−３２）毎にタイミングを制御して画素サンプルを多重する。そして、ワード多重制御部４７−１〜４７−１６は、生成した１９２０×１０８０／５０Ｉ−６０Ｉ／４：４：４，４：２：２，４：２：０／１０ビット，１２ビット信号をＲＡＭ４６−１〜４６−１６に保存する。
【０１１７】
ライン多重制御部４５−１〜４５−８は、ＲＡＭ４６−１〜４６−１６から読み出したライン毎にワード多重された画素サンプルをサブイメージ毎に多重してプログレッシブ信号とする。そして、ライン多重制御部４５−１〜４５−８は、１９２０×１０８０／５０Ｐ−６０Ｐ／４：４：４，４：２：２，４：２：０／１０ビット，１２ビット信号を生成し、ＲＡＭ４４−１〜４４−８に保存する。ＲＡＭ４４−１〜４４−８に保存された信号が第１〜第８のサブイメージを構成する。
【０１１８】
２画素多重制御部４２は、第１〜第８のサブイメージの映像データ領域から２画素ずつ抽出した画素サンプルをＵＨＤＴＶ１のクラスイメージにマッピングする。この第１〜第８のサブイメージは、ｍ′×ｎ′が１９２０×１０８０であり、ａ′−ｂ′が５０Ｐ，５９．９４Ｐ，６０Ｐのいずれかであり、ｒ′：ｇ′：ｂ′が４：４：４，４：２：２，４：２：０のいずれかである。このとき、２画素多重制御部４２は、ＲＡＭ４４−１〜４４−８から読み出した画素サンプルを２画素毎に以下の処理で多重する。そして、第１のサブイメージと第２のサブイメージの前半部分から２画素ずつ抽出した画素サンプルを、ＵＨＤＴＶ１のクラスイメージに併せて多重する。このクラスイメージは、３８４０×２１６０／１００Ｐ−１２０Ｐ／４：４：４，４：２：２，４：２：０／１０ビット，１２ビット信号である。
【０１１９】
そして、２画素多重制御部４２は、ＵＨＤＴＶ１クラスイメージが連続する第０ライン、第１ライン、第２ライン、及び第３ラインによってラインが定められ、かつ、連続する第１及び第２のクラスイメージに対して、以下の処理を行って画素サンプルを多重する。すなわち、第１及び第２のサブイメージの映像データ領域から抽出した各画素サンプルを第１のクラスイメージの第０ラインに隣り合わせて多重する。次に、第３及び第４のサブイメージの映像データ領域から抽出した各画素サンプルを第１のクラスイメージの第１ラインに隣り合わせて多重する。次に、第５及び第６のサブイメージの映像データ領域から抽出した各画素サンプルを第１のクラスイメージの第２ラインに隣り合わせて多重する。次に、第７及び第８のサブイメージの映像データ領域から抽出した各画素サンプルを第１のクラスイメージの第３ラインに隣り合わせて多重する。そして、ＲＡＭ４３には、ＵＨＤＴＶ１クラスイメージで規定される第１のフレームに３８４０×２１６０／１００Ｐ−１２０Ｐ信号が保存され、適宜、この信号が再生される。
【０１２０】
さらに、２画素多重制御部４２は、第１及び第２のサブイメージの映像データ領域から抽出した各画素サンプルを第２のクラスイメージの第０ラインに隣り合わせて多重する。次に、第３及び第４のサブイメージの映像データ領域から抽出した各画素サンプルを第２のクラスイメージの第１ラインに隣り合わせて多重する。次に、第５及び第６のサブイメージの映像データ領域から抽出した各画素サンプルを第２のクラスイメージの第２ラインに隣り合わせて多重する。次に、第７及び第８のサブイメージの映像データ領域から抽出した各画素サンプルを第２のクラスイメージの第３ラインに隣り合わせて多重する。そして、ＲＡＭ４３には、ＵＨＤＴＶ１クラスイメージで規定される第２のフレームに３８４０×２１６０／１００Ｐ−１２０Ｐ信号が保存され、適宜、この信号が再生される。
【０１２１】
なお、図１３では、２画素多重、ライン多重、ワード多重と、を３種類のＲＡＭを用いて３段階で行う例を書いた。しかし、一つのＲＡＭを用いて３８４０×２１６０／１００Ｐ−１２０Ｐ／４：４：４，４：２：２，４：２：０／１０ビット，１２ビット信号を再生しても良い。
【０１２２】
以上説明した第１の実施の形態に係る放送用カメラ１のマッピング部１１は、ＵＨＤＴＶ１クラスイメージで規定される画素数の大きい３８４０×２１６０／１００Ｐ−１２０Ｐ信号を、第１〜第８のサブイメージにマッピングする。このマッピング処理は、ＵＨＤＴＶ１クラスイメージの連続する２フレーム毎に２画素サンプル単位で間引いて行われる。その後、ライン間引き、ワード間引きを行ってＨＤ−ＳＤＩを出力する。この間引き処理は、信号をマッピングする際に必要となるメモリを最小にする方式であると共に、メモリ量が最小になることから信号の伝送遅延も最小に抑えることができる。
【０１２３】
一方、ＣＣＵ２の再生部３９は、３２ｃｈのＨＤ−ＳＤＩを受信した後、ワード多重、ライン多重を行って第１〜第８のサブイメージに画素サンプルを多重する。その後、第１〜第８のサブイメージから抽出した２画素サンプルをＵＨＤＴＶ１クラスイメージで規定される画素数の大きい３８４０×２１６０に多重する。このようにして、従来のＨＤ−ＳＤＩフォーマットを用いて、ＵＨＤＴＶ１クラスイメージで規定される画素サンプルを送受信することが可能となる。
【０１２４】
＜第２の実施の形態＞
［ＵＨＤＴＶ２  ７６８０×４３２０／１００Ｐ，１１９．８８，１２０Ｐ／４：４：４，４：２：２，４：２：０／１０ビット，１２ビットの例］
【０１２５】
次に、本開示の第２の実施の形態に係るマッピング部１１と再生部３９の動作例について、図１４〜図１６を参照して説明する。
【０１２６】
ここでは、７６８０×４３２０／１００Ｐ−１２０Ｐ／４：４：４，４：２：２，４：２：０／１０ビット，１２ビット信号の画素サンプルを間引く方式について説明する。
【０１２７】
図１４は、マッピング部１１がＵＨＤＴＶ２クラスイメージに含まれる画素サンプルをＵＨＤＴＶ１クラスイメージにマッピングする処理イメージを示す。
【０１２８】
本例では、マッピング部１１にＵＨＤＴＶ２クラスイメージとして規定される７６８０×４３２０／１００Ｐ−１２０Ｐ／４：４：４，４：２：２，４：２：０／１０ビット，１２ビット信号が入力する。７６８０×４３２０／１００Ｐ−１２０Ｐ／４：４：４，４：２：２，４：２：０／１０ビット，１２ビット信号は、Ｓ２０３６−１で規定される信号のフレームレートを倍にした信号である。Ｓ２０３６−１で規定される信号とは、７６８０×４３２０／５０Ｐ−６０Ｐ／４：４：４，４：２：２，４：２：０／１０ビット，１２ビット信号である。また、７６８０×４３２０／１００Ｐ−１２０Ｐ信号と７６８０×４３２０／５０Ｐ−６０Ｐの禁止コード等のディジタル信号形式は同じであるとする。
【０１２９】
マッピング部１１は、始めに７６８０×４３２０／１００Ｐ−１２０Ｐ／４：４：４，４：２：２，４：２：０／１０ビット，１２ビット信号を、ＵＨＤＴＶ１に規定するクラスイメージにマッピングする。このクラスイメージは、３８４０×２１６０／１００Ｐ−１２０Ｐ／４：４：４，４：２：２，４：２：０／１０ビット，１２ビット信号である。
【０１３０】
マッピング部１１は、Ｓ２０３６−３に規定されているように、２サンプル毎に２ライン単位でＵＨＤＴＶ２クラスイメージからＵＨＤＴＶ１クラスイメージに画素サンプルをマッピングする。つまり、７６８０×４３２０／１００Ｐ−１２０Ｐ／４：４：４，４：２：２，４：２：０／１０ビット，１２ビット信号をライン方向に２画素サンプル毎に２ライン単位で間引く。そして、３８４０×２１６０／１００Ｐ−１２０Ｐ／４：４：４，４：２：２，４：２：０／１０ビット，１２ビット４ｃｈにマッピングする。３８４０×２１６０／１００Ｐ−１２０Ｐ／４：４：４，４：２：２，４：２：０／１０ビット，１２ビット４ｃｈは、第１の実施の形態に示したような方式で、それぞれ４ｃｈの１０．６９２ＧｂｐｓのモードＤで伝送できる。このため、合計１２８（＝３２×４）ｃｈの１０．６９２ＧｂｐｓのモードＤで伝送可能である。
【０１３１】
図１５は、マッピング部１１の内部構成例を示す。
マッピング部１１は、各部にクロックを供給するクロック供給回路６１と、７６８０×４３２０／１００Ｐ−１２０Ｐの映像信号を記憶するＲＡＭ６３を備える。また、マッピング部１１は、ＲＡＭ６３に記憶された７６８０×４３２０／１００Ｐ−１２０Ｐの映像信号から２画素ずつ画素サンプルを読み出す２画素間引き（インタリーブ）を制御する第２の２画素間引き制御部６２を備える。また、２画素間引きされた画素サンプルは、ＵＨＤＴＶ１に規定する３８４０×２１６０／１００Ｐ−１２０Ｐ／４：４：４，４：２：２，４：２：０／１０ビット，１２ビット信号である第１〜第４のクラスイメージとして、ＲＡＭ６４−１〜６４−４に保存される。
【０１３２】
また、マッピング部１１は、ＲＡＭ６４−１〜６４−４から読出した第１〜第４のクラスイメージより、連続する２フレーム毎に２画素ずつ画素サンプルを読み出す２画素間引きを制御する第１の２画素間引き制御部６５−１〜６５−４を備える。第１の２画素間引き制御部６５−１〜６５−４が画素サンプルをサブイメージにマッピングする動作は、上述した第１の実施の形態に係る２画素間引き制御部２１の動作と同様である。２画素間引きされた画素サンプルは、第１〜第４のクラスイメージ毎に第１〜第８のサブイメージとして、ＲＡＭ６６−１〜６６−３２に保存される。
【０１３３】
また、マッピング部１１は、ＲＡＭ６６−１〜６６−３２から読出したデータをライン間引きするライン間引き制御部６７−１〜６７−３２と、ライン間引き制御部６７−１〜６７−３２が間引いたデータを書き込むＲＡＭ６８−１〜６７−６４を備える。
【０１３４】
また、マッピング部１１は、ＲＡＭ６８−１〜６７−６４から読出したデータのワード間引きを制御するワード間引き制御部６８−１〜６８−６４を備える。また、マッピング部１１は、ワード間引き制御部６８−１〜６８−６４が間引いたデータを書き込むＲＡＭ７０−１〜７０−１２８と、を備える。また、マッピング部１１は、ＲＡＭ７０−１〜７０−１２８から読出したデータの画素サンプルを１２８チャンネルのＨＤ−ＳＤＩとして出力する読み出し制御部７１−１〜７１−１２８を備える。
【０１３５】
なお、図１５には、ＨＤ−ＳＤＩ１を生成するブロックについて記載したが、ＨＤ−ＳＤＩ２〜１２８を生成するブロックも同様の構成例としているため、図示と詳細な説明を省略する。
【０１３６】
次に、マッピング部１１の動作例を説明する。
クロック供給回路６１は、第２の２画素間引き制御部６２、第１の２画素間引き制御部６５−１，６５−４，ライン間引き制御部６７−１〜６７−３２、ワード間引き制御部６８−１〜６８−６４、及び読出し制御部７１−１〜７１−１２８にクロックを供給する。このクロックは、画素サンプルの読み出し又は書き込みに用いられ、このクロックにより各部が同期する。
【０１３７】
不図示のイメージセンサから入力するＵＨＤＴＶ２の７６８０×４３２０／１００Ｐ，−１２０Ｐ／４：４：４，４：２：２，４：２：０／１０ビット，１２ビット信号で規定されるＵＨＤＴＶ２のクラスイメージは、ＲＡＭ６３に保存される。第２の２画素間引き制御部６２は、連続する４本のラインの１ライン毎に同一ラインで隣り合う２つの画素サンプルを間引いた画素サンプルを第１〜第４のＵＨＤＴＶ１のクラスイメージにマッピングする。このとき、ＵＨＤＴＶ２のクラスイメージの第０ラインから１ラインおきに含まれる各画素サンプルを、ライン毎に２つの画素サンプルおきに第１のＵＨＤＴＶ１のクラスイメージの映像データ領域における同一ラインにマッピングする。また、ＵＨＤＴＶ２のクラスイメージの第０ラインから１ラインおきに含まれる各画素サンプルであって、第１のＵＨＤＴＶ１のクラスイメージにマッピングされた画素サンプルとは異なる画素サンプルを、２つの画素サンプルおきに第２のＵＨＤＴＶ１のクラスイメージの映像データ領域における同一ラインにマッピングする。さらに、ＵＨＤＴＶ２のクラスイメージの第１ラインから１ラインおきに含まれる各画素サンプルを、ライン毎に２つの画素サンプルおきに第３のＵＨＤＴＶ１のクラスイメージの映像データ領域における同一ラインにマッピングする。また、ＵＨＤＴＶ２のクラスイメージの第１ラインから１ラインおきに含まれる各画素サンプルであって、第３のＵＨＤＴＶ１のクラスイメージにマッピングされた画素サンプルとは異なる画素サンプルを、２つの画素サンプルおきに第４のＵＨＤＴＶ１のクラスイメージの映像データ領域における同一ラインにマッピングする。そして、このマッピング処理を、ＵＨＤＴＶ２クラスイメージの画素サンプルを全て抽出し終わるまで繰り返す。
【０１３８】
以降の第１の２画素間引き制御部６５−１〜６５−４が第１〜第８のサブイメージに画素サンプルをマッピングする処理と、ライン間引き、ワード間引きの処理は、第１の実施の形態に係る画素サンプルの間引き処理と同様に行われるため、詳細な説明を省略する。
【０１３９】
図１６は、再生部３９の内部構成例を示す。
再生部３９は、マッピング部１１が画素サンプルに行った処理を逆変換するブロックである。
【０１４０】
再生部３９は、各部にクロックを供給するクロック供給回路８１を備える。また、再生部３９は、１９２０×１０８０／５０Ｉ−６０Ｉ信号を構成する１２８本のＨＤ−ＳＤＩ１〜１２８をそれぞれ記憶するＲＡＭ９０−１〜９０−１２８を備える。ＨＤ−ＳＤＩ１〜１２８は、デスクランブル・８Ｂ／１０Ｂ・Ｐ／Ｓ部３８から入力されたＬｉｎｋＡであるＣＨ１，ＣＨ３，ＣＨ５，ＣＨ７，…，ＣＨ１２７と、ＬｉｎｋＢであるＣＨ２，ＣＨ４，ＣＨ６，ＣＨ８，…，ＣＨ１２８である。書込み制御部９１−１〜９１−１２８は、クロック供給回路８１から供給されるクロックに合わせて、入力したＳＭＰＴＥ４３５−２に規定される１２８本のＨＤ−ＳＤＩ１〜１２８をＲＡＭ９０−１〜９０−１２８に書き込む制御を行う。
【０１４１】
また、再生部３９は、ワード多重（デインタリーブ）を制御するワード多重制御部８９−１〜８９−６４と、ワード多重制御部８９−１〜８９−６４が多重したデータを書き込むＲＡＭ８８−１〜８８−６４と、を備える。また、ライン多重を制御するライン多重制御部８７−１〜８７−３２と、ライン多重制御部８７−１〜８７−３２が多重したデータを書き込むＲＡＭ８６−１〜８６−３２を備える。
【０１４２】
また、再生部３９は、ＲＡＭ８６−１〜８６−３２から抽出した２画素サンプルの多重を制御する第１の２画素多重制御部８５−１〜８５−４を備える。また、第１の２画素多重制御部８５−１〜８５−４がＵＨＤＴＶ１クラスイメージに多重した画素サンプルを記憶するＲＡＭ８４−１〜８４−４を備える。また、再生部３９は、ＲＡＭ８４−１〜８４−４から抽出したＵＨＤＴＶ１クラスイメージの画素サンプルをＵＨＤＴＶ２クラスイメージに多重する第２の２画素多重制御部８２を備える。また、ＵＨＤＴＶ２クラスイメージに多重した画素サンプルを記憶するＲＡＭ８３を備える。
【０１４３】
次に、再生部３９の動作例を説明する。
クロック供給回路８１は、第２の２画素多重制御部８２、第１の２画素多重制御部８５−１〜８５−４、ライン多重制御部８７−１〜８７−３２、ワード多重制御部８９−１〜８９−６４及び書込み制御部９１−１〜９１−１２８にクロックを供給する。このクロックにより各部が同期して、画素サンプルの読み出し又は書き込みが制御される。
【０１４４】
第１〜第８のサブイメージから抽出した画素サンプルをＵＨＤＴＶ１クラスイメージにマッピングする処理と、ライン多重、ワード多重の処理は、第１の実施の形態に係る画素サンプルの多重処理と同様に行われるため、詳細な説明を省略する。
【０１４５】
第２の２画素多重制御部８２は、ＲＡＭ８４−１〜８４−４から読み出した画素サンプルを２画素毎に以下の処理で多重する。このとき、第２の２画素多重制御部８２は、第１〜第４の前記ＵＨＤＴＶ１のクラスイメージから抽出した画素サンプルをＵＨＤＴＶ２のクラスイメージの連続する４本のラインの１ライン毎に同一ラインで隣り合う２つの画素サンプルの位置に多重する。
ここで、第２の２画素多重制御部８２は、第１のＵＨＤＴＶ１のクラスイメージの映像データ領域における同一ラインからライン毎に２つの画素サンプル毎に抽出した画素サンプルを、前記ＵＨＤＴＶ２のクラスイメージの第０ラインから１ラインおきであって、同一ラインの２つの画素サンプルおきに多重する。また、第２のＵＨＤＴＶ１のクラスイメージの映像データ領域における同一ラインからライン毎に２つの画素サンプル毎に抽出した画素サンプルを、前記ＵＨＤＴＶ２のクラスイメージの第０ラインから１ラインおきであって、前記第１のＵＨＤＴＶ１のクラスイメージから多重された画素サンプルとは異なる位置における同一ラインの２つの画素サンプルおきに多重する。
第３のＵＨＤＴＶ１のクラスイメージの映像データ領域における同一ラインからライン毎に２つの画素サンプル毎に抽出した画素サンプルを、前記ＵＨＤＴＶ２のクラスイメージの第１ラインから１ラインおきであって、同一ラインの２つの画素サンプルおきに多重する。また、第４のＵＨＤＴＶ１のクラスイメージの映像データ領域における同一ラインからライン毎に２つの画素サンプル毎に抽出した画素サンプルを、前記ＵＨＤＴＶ２のクラスイメージの第１ラインから１ラインおきであって、前記第３のＵＨＤＴＶ１のクラスイメージから多重された画素サンプルとは異なる位置における同一ラインの２つの画素サンプルおきに多重する。
そして、この多重処理を、ＵＨＤＴＶ１クラスイメージの画素サンプルを全て抽出し、ＵＨＤＴＶ２クラスイメージに多重し終わるまで繰り返す。
【０１４６】
この結果、ＲＡＭ８３には、ＵＨＤＴＶ２で規定されるクラスイメージである７６８０×４３２０／１００−１２０Ｐ／４：４：４，４：２：２，４：２：０／１０ビット，１２ビットが保存され、適宜、この信号がＶＴＲ等に送って再生される。
【０１４７】
なお、図１６では、第１及び第２の２画素多重、ライン多重、ワード多重と、を４種類のＲＡＭを用いて４段階で行う例を書いた。しかし、一つのＲＡＭを用いて７６８０×４３２０／１００Ｐ，１１９．８８，１２０Ｐ／４：４：４，４：２：２，４：２：０／１０ビット，１２ビット信号を再生しても良い。
【０１４８】
以上説明した第２の実施の形態に係る放送用カメラ１によれば、以下の間引き処理を行う。すなわち、画素数の大きい７６８０×４３２０信号を２画素サンプル単位で２回間引いて複数の１９２０×１０８０信号にマッピングした後、ライン間引きする。この間引き処理は、信号をマッピングする際に必要となるメモリを最小にする方式であると共に、メモリ量が最小になることから信号の伝送遅延も最小に抑えることができる。
【０１４９】
また、第２の実施の形態に係るＣＣＵ２は、放送用カメラ１から受け取った１２８本のＨＤ−ＳＤＩに基づいて、ワード多重、ライン多重、２画素多重を行ってＵＨＤＴＶ１クラスイメージを生成する。さらに、ＵＨＤＴＶ１クラスイメージからＵＨＤＴＶ２クラスイメージを生成することにより、放送用カメラ１との間で現行の伝送インターフェースを用いてＵＨＤＴＶ２クラスイメージを伝送することが可能となった。
【０１５０】
また、１０Ｇ  １６ｃｈの信号を１本の光ファイバーで伝送する際には、ＣＷＤＭ／ＤＷＤＭ波長多重技術を使うことが出来る。
【０１５１】
＜第３の実施の形態＞
［３８４０×２１６０／（５０Ｐ−６０Ｐ）×Ｎ／４：４：４，４：２：２，４：２：０／１０ビット，１２ビットの例］
【０１５２】
次に、本開示の第３の実施の形態に係るマッピング部１１と再生部３９の動作例について、図１７を参照して説明する。
図１７は、マッピング部１１がＵＨＤＴＶ１クラスイメージに含まれる画素サンプルを第１〜第４Ｎのサブイメージにマッピングする処理イメージを示す。連続する第１〜第ＮのＵＨＤＴＶ１のクラスイメージ（連続する第１〜第Ｎフレーム）は、ｍ，ｎ，ａ，ｂが以下のように規定される。すなわち、ｍ×ｎが３８４０×２１６０であり、ａ−ｂ（５０Ｐ，５９．９４Ｐ，６０Ｐのいずれか）×Ｎ（Ｎは２以上の整数）であり、ｒ：ｇ：ｂが４：４：４，４：２：２，４：２：０のいずれかで規定される。Ｎは２以上の整数である。このため、（５０Ｐ−６０Ｐ）×Ｎは、実質的に１００Ｐ−１２０Ｐ以上のフレームレートである映像信号を表す。
【０１５３】
また、クラスイメージのライン数が０，１，…，２Ｎ−２，２Ｎ−１で規定され、かつ、第０ラインに含まれる画素サンプルの位置が１，１，２，２の繰り返しで規定される。第１ラインに含まれる画素サンプルの位置が３，３，４，４の繰り返しで規定され、第２ラインに含まれる画素サンプルの位置が５，５，６，６の繰り返しで規定される。また、第３ラインに含まれる画素サンプルの位置が７，７，８，８の繰り返しで規定される。また、第２Ｎ−４ラインに含まれる画素サンプルの位置が４Ｎ−７，４Ｎ−７，４Ｎ−６，４Ｎ−６の繰り返しで規定される。また、第２Ｎ−３ラインに含まれる画素サンプルの位置が４Ｎ−５，４Ｎ−５，４Ｎ−４，４Ｎ−４の繰り返しで規定され、第２Ｎ−２ラインに含まれる画素サンプルの位置が４Ｎ−３，４Ｎ−３，４Ｎ−２，４Ｎ−２の繰り返しで規定される。また、第２Ｎ−１ラインに含まれる画素サンプルの位置が４Ｎ−１，４Ｎ−１，４Ｎ，４Ｎの繰り返しで規定される。
【０１５４】
このとき、２画素間引き制御部は、ＵＨＤＴＶ１のクラスイメージに規定される画素サンプルの位置と同じ数の第１〜第４Ｎのサブイメージにおける映像データ領域に画素サンプルをマッピングする。この第１〜第４Ｎの映像データ領域は、ｍ′×ｎ′が１９２０×１０８０であり、ａ′−ｂ′が５０Ｐ，５９．９４Ｐ，６０Ｐのいずれかであり、ｒ′：ｇ′：ｂ′が４：４：４，４：２：２，４：２：０のいずれかである。
【０１５５】
３８４０×２１６０／（５０Ｐ−６０Ｐ）×Ｎ／４：４：４，４：２：２，４：２：０／１０ビット，１２ビット信号は、フレームレートをＮ倍としてある。これは、Ｓ２０３６−１で規定される３８４０×２１６０／５０Ｐ−６０Ｐ／４：４：４，４：２：２，４：２：０／１０ビット，１２ビット信号のフレームレートをＮ倍とした信号である。ただし、互いに色域（Colorimetry）が異なったとしても禁止コードなどディジタル信号形式は同じである。
【０１５６】
マッピング部１１は、３８４０×２１６０／（５０Ｐ−６０Ｐ）×Ｎ／４：４：４，４：２：２，４：２：０／１０ビット，１２ビット信号の画素サンプルを、以下のように間引く。
（１）第０ライン：第１サンプル、第１サンプル、第２サンプル、第２サンプル、第１サンプル、第１サンプル、第２サンプル、第２サンプル、・・・
（２）第１ライン：第３サンプル、第３サンプル、第４サンプル、第４サンプル、第３サンプル、第３サンプル、第４サンプル、第４サンプル、・・・
（３）第２ライン：第５サンプル、第５サンプル、第６サンプル、第６サンプル、第５サンプル、第５サンプル、第６サンプル、第６サンプル、・・・
（４）第３ライン：第７サンプル、第７サンプル、第８サンプル、第８サンプル、第７サンプル、第７サンプル、第８サンプル、第８サンプル、・・・
（５）第４ライン：第１サンプル、第１サンプル、第２サンプル、第２サンプル、第１サンプル、第１サンプル、第２サンプル、第２サンプル、・・・
（６）第５ライン：第３サンプル、第３サンプル、第４サンプル、第４サンプル、第３サンプル、第３サンプル、第４サンプル、第４サンプル、・・・
（７）第６ライン：第５サンプル、第５サンプル、第６サンプル、第６サンプル、第５サンプル、第５サンプル、第６サンプル、第６サンプル、・・・
（８）第７ライン：第７サンプル、第７サンプル、第８サンプル、第８サンプル、第７サンプル、第７サンプル、第８サンプル、第８サンプル、・・・
・
・
・
（２Ｎ−３）第２Ｎ−４ライン：第４Ｎ−７サンプル、第４Ｎ−７サンプル、第４Ｎ−６サンプル、第４Ｎ−６サンプル、第４Ｎ−７サンプル、第４Ｎ−７サンプル、第４Ｎ−６サンプル、第４Ｎ−６サンプル、・・・
（２Ｎ−２）第２Ｎ−３ライン：第４Ｎ−５サンプル、第４Ｎ−５サンプル、第４Ｎ−４サンプル、第４Ｎ−４サンプル、第４Ｎ−５サンプル、第４Ｎ−５サンプル、第４Ｎ−４サンプル、第４Ｎ−４サンプル、・・・
（２Ｎ−１）第２Ｎ−２ライン：第４Ｎ−３サンプル、第４Ｎ−３サンプル、第４Ｎ−２画素サンプル、第４Ｎ−２画素サンプル、第４Ｎ−３サンプル、第４Ｎ−３サンプル、第４Ｎ−２画素サンプル、第４Ｎ−２画素サンプル、・・・
（２Ｎ）第２Ｎ−１ライン：第４Ｎ−１サンプル、第４Ｎ−１サンプル、第４Ｎサンプル、第４Ｎサンプル、第４Ｎ−１サンプル、第４Ｎ−１サンプル、第４Ｎサンプル、第４Ｎサンプル、・・・
【０１５７】
このように、連続する２Ｎフレーム単位のＵＨＤＴＶ１クラスイメージから２ピクセル毎に画素サンプルを間引いて１９２０×１０８０／５０Ｐ−６０Ｐの映像データ領域に多重する。そして、それぞれの画素サンプルをＳＭＰＴＥ２７４で定義される１９２０×１０８０／５０Ｐ−６０Ｐ／４：４：４，４：２：２，４：２：０／１０ビット，１２ビット４Ｎｃｈにマッピングする。
【０１５８】
ここで、以下の計算が成り立つ。
２画素サンプル間引きされた後のサンプル数＝３８４０÷２＝１９２０サンプル
Ｎフレーム毎に２画素サンプル間引きされた後のライン数＝Ｎ×２１６０÷２Ｎ＝１０８０ライン
このため、１９２０×１０８０映像信号の映像データ領域と一致することが示される。
【０１５９】
マッピングされた１９２０×１０８０／５０Ｐ−６０Ｐ信号の映像データ領域では、１／Ｎ部分に３８４０×２１６０／１００Ｐ−１２０Ｐ／４：４：４，４：２：２，４：２：０／１０ビット，１２ビット信号の第１のフレームの信号がマッピングされる。そして、次の１／Ｎ部分に次のフレームの信号がマッピングされ、以下、第１〜第４Ｎのサブイメージの映像データ領域に画素サンプルが埋まるまでマッピングの処理を繰り返す。
【０１６０】
マッピングされた４Ｎｃｈの１９２０×１０８０／５０Ｐ−６０Ｐ信号は、ＳＭＰＴＥ４３５−１のＦｉｇｕｒｅ２にあるようにまずライン間引きして、２本の１９２０×１０８０／５０Ｉ，５９．９４Ｉ，６０Ｉ信号に分ける。４：４：４の１０ビット、１２ビットあるいは４：２：２の１２ビット信号である場合には更にワード間引きする。このとき、ワード間引き制御部は、ＳＭＰＴＥ４３５−１に規定される。そして、読み出し制御部は、ＲＡＭから読み出した４ｃｈの１．５ＧｂｐｓのＨＤ−ＳＤＩで伝送する。したがって、３８４０×２１６０／１００Ｐ−１２０Ｐ／４：４：４，４：２：２，４：２：０／１０ビット，１２ビット信号は、合計１６ＮｃｈのＨＤ−ＳＤＩで伝送することが可能である。なお、４：２：２／１０ビットの場合には１６ｃｈのＨＤ−ＳＤＩで伝送することが可能である。
【０１６１】
このようにして３８４０×２１６０／１００Ｐ−１２０Ｐ／４：４：４，４：２：２，４：２：０／１０ビット，１２ビット信号を、１６ＮｃｈのＨＤ−ＳＤＩにマッピングできる。さらに、ＨＤ−ＳＤＩ  ８ｃｈを多重して伝送できる１０ＧモードＤを用いる。これにより、３８４０×２１６０／１００Ｐ−１２０Ｐ／４：４：４，４：２：２，４：２：０／１０ビット，１２ビット信号を、２Ｎｃｈの１０ＧモードＤである１０．６９２Ｇｂｐｓに多重して伝送することが可能である。この多重方式には、特開２００８−０９９１８９号公報に開示された方式が用いられる。なお、４：２：２の場合にはＬｉｎｋＢは使用せず、ＣＨ１，３，５，７のみ使用する。１０Ｇ−ＳＤＩへのマッピング処理の例や、送信回路及び受信回路の処理ブロックの構成例は、上述した実施の形態に係る構成例と同じである。
【０１６２】
また、このＨＤ−ＳＤＩを受信する際には、第３の実施の形態に係る再生部３９が多重処理を行う。このとき、マッピング部１１が行った処理とは逆の処理を行うことによって、再生部３９が第１〜第ＮのＵＨＤＴＶ１クラスイメージに画素サンプルを多重することができる。
【０１６３】
再生部３９におけるワード多重制御部及び２画素多重制御部は、具体的には以下の処理を行う。
まず、第３の実施の形態に係るワード多重制御部は、第１〜第４Ｎのサブイメージ毎に対応する４チャンネルのモードＤによって定まる１０．６９２Ｇｂｐｓストリームの映像データ領域から抽出した画素サンプルを多重する。第１〜第４Ｎのサブイメージは、ＳＭＰＴＥ４３５−１に規定され、ｍ′×ｎ′が１９２０×１０８０であり、ａ′−ｂ′が５０Ｐ，５９．９４Ｐ，６０Ｐのいずれかであり、ｒ′：ｇ′：ｂ′が４：４：４，４：２：２，４：２：０のいずれかで規定される。そして、ライン多重を経た後、２画素多重制御部は、第１〜第４Ｎのサブイメージの映像データ領域から抽出した画素サンプルを、第１〜第Ｎのクラスイメージに多重する。このとき、ＵＨＤＴＶ１のクラスイメージに規定される画素サンプルの位置と同じ数の第１〜第４Ｎのサブイメージの映像データ領域から抽出した画素サンプルが多重される。
【０１６４】
以上説明した第３の実施の形態に係る放送用カメラ１によれば、以下の間引き処理を行う。すなわち、画素数の大きい３８４０×２１６０信号であって、フレームレートが５０Ｐ−６０ＰのＮ倍である画像信号の画素サンプルを間引く。このとき、連続するＮフレーム毎に２画素サンプル単位で間引いて第１〜第４Ｎの１９２０×１０８０信号にマッピングした後、ライン間引き、ワード間引きを行う。この間引き処理は、信号をマッピングする際に必要となるメモリを最小にする方式であると共に、メモリ量が最小になることから信号の伝送遅延も最小に抑えることができる。
【０１６５】
また、第３の実施の形態に係るＣＣＵ２は、放送用カメラ１から受け取った１６Ｎ本のＨＤ−ＳＤＩに基づいて、ワード多重、ライン多重、２画素多重を行ってＵＨＤＴＶ１クラスイメージを生成する。
【０１６６】
＜第４の実施の形態＞
［ＵＨＤＴＶ２，７６８０×４３２０／（５０Ｐ−６０Ｐ）×Ｎ／４：４：４，４：２：２，４：２：０／１０ビット，１２ビットの例］
【０１６７】
次に、本開示の第４の実施の形態に係るマッピング部１１と再生部３９の動作例について、図１８を参照して説明する。
図１８は、マッピング部１１が、フレームレートが５０Ｐ−６０ＰのＮ倍であるＵＨＤＴＶ２クラスイメージに含まれる画素サンプルを、フレームレートが５０Ｐ−６０ＰのＮ倍であるＵＨＤＴＶ１クラスイメージにマッピングする処理イメージを示す。Ｎは２以上の整数であるため、（５０Ｐ−６０Ｐ）×Ｎは、実質的に１００Ｐ−１２０Ｐ以上のフレームレートである映像信号を表す。
【０１６８】
７６８０×４３２０／（５０Ｐ−６０Ｐ）×Ｎ／４：４：４，４：２：２，４：２：０／１０ビット，１２ビット信号は、フレームレートが倍の信号である。すなわち、Ｓ２０３６−１で規定される７６８０×４３２０／５０Ｐ−６０Ｐ／４：４：４，４：２：２，４：２：０／１０ビット，１２ビット信号の倍のフレームレートとしてある。ただし、各信号の色域（Ｃｏｌｏｒｉｍｅｔｒｙ）は異なったとしても禁止コードなどディジタル信号形式は同じであるとする。
【０１６９】
本例のマッピング部１１が行う画素サンプルのマッピング処理は、上述した第２の実施の形態に係るマッピング部１１が行う画素サンプルの多重処理と同様である。マッピング部１１は、７６８０×４３２０／（５０Ｐ−６０Ｐ）×Ｎ／４：４：４，４：２：２，４：２：０／１０ビット，１２ビット信号を、ライン方向に２ライン単位で２ピクセル毎に間引く。そして、画素サンプルを３８４０×２１６０／（５０Ｐ−６０Ｐ）×Ｎ／４：４：４，４：２：２，４：２：０／１０ビット，１２ビット４ｃｈにマッピングする。３８４０×２１６０／（５０Ｐ−６０Ｐ）×Ｎ／４：４：４，４：２：２，４：２：０／１０ビット，１２ビット４ｃｈは、２画素間引き、ライン間引き、ワード間引きを経て、第３の実施の形態に示した方式で２Ｎｃｈの１０ＧｂｐｓのモードＤで伝送する。このため、放送用カメラ１は、合計８Ｎｃｈの１０ＧｂｐｓのモードＤで７６８０×４３２０／（５０Ｐ−６０Ｐ）×Ｎ／４：４：４，４：２：２，４：２：０／１０ビット，１２ビット信号を伝送可能である。
【０１７０】
一方、再生部３９は、８Ｎｃｈの１０ＧｂｐｓのモードＤで伝送された映像信号を受信する。そして、画素サンプルをワード多重、ライン多重して第１〜第４Ｎのサブイメージを作り、これらのサブイメージから抽出した画素サンプルをＵＨＤＴＶ１クラスイメージに１フレームからＮフレームまで多重する。これにより、再生部３９がＵＨＤＴＶ１クラスイメージを再生することができる。本例の再生部３９が行う画素サンプルの多重処理は、上述した第２の実施の形態に係る再生部３９が行う画素サンプルの多重処理と同様である。
【０１７１】
以上説明した第４の実施の形態に係るマッピング部１１は、５０Ｐ−６０ＰをＮ倍したフレームレートであるＮフレームのＵＨＤＴＶ２クラスイメージから４ＮフレームのＵＨＤＴＶ１クラスイメージに映像信号をマッピングする。その後、ライン間引き、ワード間引きを行った後、既存のＨＤの映像信号として送信できる。
【０１７２】
一方、第４の実施の形態に係る再生部３９は、受信した既存のＨＤの映像信号を用いて、ワード多重、ライン多重を行った後、４ＮフレームのＵＨＤＴＶ１クラスイメージから、ＮフレームのＵＨＤＴＶ２クラスイメージに画素サンプルを多重できる。このように、５０Ｐ−６０ＰをＮ倍したフレームレートであるＮフレームのＵＨＤＴＶ２クラスイメージを、既存のインターフェースを用いて速やかに伝送することが可能となる。
【０１７３】
＜第５の実施の形態＞
［４０９６×２１６０／９６Ｐ−１２０Ｐ／４：４：４，４：２：２／１０ビット，１２ビットの例］
【０１７４】
次に、本開示の第５の実施の形態に係るマッピング部１１と再生部３９の動作例について、図１９〜図２１を参照して説明する。
【０１７５】
始めに、複数チャンネルのＨＤ−ＳＤＩに含まれるデータを多重化する方式の例について、図１９を参照して説明する。データを多重化する方式は、ＳＭＰＴＥ４３５−２にモードＢとして規定される。
【０１７６】
図１９は、モードＢの説明図である。
モードＢは、６チャンネル（ＣＨ１〜ＣＨ６）のＨＤ−ＳＤＩを多重化する方式である。
モードＢでは、１０．６９２Ｇｂｐｓストリームの映像データ領域と水平補助データスペースのそれぞれにデータが多重される。６チャンネル（ＣＨ１〜ＣＨ６）のＨＤ−ＳＤＩに含まれる４ワードの映像／ＥＡＶ／ＳＡＶデータは、８Ｂ／１０Ｂ変換されて、５ワード（５０ビット）のデータブロックにエンコードされる。そして、１０．６９２Ｇｂｐｓストリームの映像データ領域に対して、ＳＡＶの先頭からチャンネル順に多重される。
【０１７７】
一方、４チャンネル（ＣＨ１〜ＣＨ４）のＨＤ−ＳＤＩの水平補助データスペースは、８Ｂ／１０Ｂ変換されて、５０ビットのデータブロックにエンコードされ、１０．６９２Ｇｂｐｓストリームの水平補助データスペースにチャンネル順に多重される。ただし、ＣＨ５，ＣＨ６のＨＤ−ＳＤＩの水平補助データスペースは伝送されない。
【０１７８】
次に、４０９６×２１６０／９６Ｐ−１２０Ｐ／４：４：４，４：２：２／１０ビット，１２ビット信号の画素サンプルを、第１〜第８のサブイメージにマッピングする例を説明する。
【０１７９】
図２０は、マッピング部１１が、フレームレートが９６Ｐ−１２０Ｐである４０９６×２１６０クラスイメージに含まれる画素サンプルを、第１〜第８のサブイメージにマッピングする処理イメージを示す。ここでは、４０９６×２１６０クラスイメージにおける、ｍ×ｎが４０９６×２１６０であり、ａ−ｂ（５０Ｐ，５９．９４Ｐ，６０Ｐのいずれか）×Ｎ（Ｎは２以上の整数）であり、ｒ：ｇ：ｂが４：４：４，４：２：２のいずれかである場合について説明する。
【０１８０】
４０９６×２１６０／９６Ｐ−１２０Ｐ／４：４：４，４：２：２／１０ビット，１２ビット信号は、フレームレートが倍の信号である。すなわち、Ｓ２０４８−１で規定される４０９６×２１６０／５０Ｐ−６０Ｐ／４：４：４，４：２：２／１０ビット，１２ビット信号のフレームレートの倍としてある。ただし、各信号の色域（Ｃｏｌｏｒｉｍｅｔｒｙ）は異なったとしても禁止コードなどディジタル信号形式は同じであるとする。
【０１８１】
図２０に示すように、４０９６×２１６０／９６Ｐ−１２０Ｐ／４：４：４，４：２：２／１０ビット，１２ビット信号の画素サンプルを、２ピクセル毎に連続する２フレーム単位で間引いて２０４８×１０８０／４８Ｐ−６０Ｐの映像データ領域にマッピングする。このとき、２画素間引き制御部は、第１〜第８のサブイメージの映像データ領域に画素サンプルをマッピングする。第１〜第８のサブイメージは、ｍ′×ｎ′が２０４８×１０８０であり、ａ′−ｂ′が５０Ｐ，５９．９４Ｐ，６０Ｐのいずれかであり、ｒ′：ｇ′：ｂ′が４：４：４，４：２：２のいずれかである。つまり、ＳＭＰＴＥ２０４８−２で定義される８ｃｈの２０４８×１０８０／４８Ｐ−６０Ｐ／４：４：４，４：２：２／１０ビット，１２ビットにマッピングする。
（１）第０ライン：第１サンプル、第１サンプル、第２サンプル、第２サンプル、第１サンプル、第１サンプル、第２サンプル、第２サンプル、・・・
（２）第１ライン：第３サンプル、第３サンプル、第４サンプル、第４サンプル、第３サンプル、第３サンプル、第４サンプル、第４サンプル、・・・
（３）第２ライン：第５サンプル、第５サンプル、第６サンプル、第６サンプル、第５サンプル、第５サンプル、第６サンプル、第６サンプル、・・・
（４）第３ライン：第７サンプル、第７サンプル、第８サンプル、第８サンプル、第７サンプル、第７サンプル、第８サンプル、第８サンプル、・・・
（５）第４ライン：第１サンプル、第１サンプル、第２サンプル、第２サンプル、第１サンプル、第１サンプル、第２サンプル、第２サンプル、・・・
（６）第５ライン：第３サンプル、第３サンプル、第４サンプル、第４サンプル、第３サンプル、第３サンプル、第４サンプル、第４サンプル、・・・
（７）第６ライン：第５サンプル、第５サンプル、第６サンプル、第６サンプル、第５サンプル、第５サンプル、第６サンプル、第６サンプル、・・・
（８）第７ライン：第７サンプル、第７サンプル、第８サンプル、第８サンプル、第７サンプル、第７サンプル、第８サンプル、第８サンプル、・・・
．
．
．
【０１８２】
２画素サンプル間引きされた後のサンプル数＝４０９６÷２＝２０４８サンプル
２フレーム毎に２画素サンプル間引きされた後のサンプル数＝２×２１６０÷４＝１０８０ラインとなり、２０４８×１０８０映像信号の映像データ領域と一致する。
【０１８３】
図２１は、第１〜第８のサブイメージをライン間引き、ワード間引きしてモードＢにマッピングする処理の例を示す。
ここでは、画素サンプルがマッピングされた第１〜第８のサブイメージ（２０４８×１０８０／６０Ｐ／４：４：４／１２ビット信号）を、ＳＭＰＴＥ３７２Ｍの規定に従ってＬｉｎｋＡ又はＬｉｎｋＢに分割してマッピングする処理例を説明する。
【０１８４】
ＳＭＰＴＥ４３５は、１０Ｇインタフェースの規格である。この規格は、複数チャンネルのＨＤ−ＳＤＩ信号を、２画素（４０ビット）単位で８Ｂ／１０Ｂエンコーディングして５０ビットに変換し、チャンネル毎に多重することを定めている。さらに、ビットレート１０．６９２Ｇｂｐｓまたは１０．６９２Ｇｂｐｓ／１．００１（以下単に１０．６９２Ｇｂｐｓと記載する）でシリアル伝送することを定めている。４ｋ×２ｋ信号をＨＤ−ＳＤＩ信号にマッピングする技術は、ＳＭＰＴＥ４３５  Ｐａｒｔ１の６．４  Ｏｃｔａ  リンク  １．５  Ｇｂｐｓ  ＣｌａｓｓのＦｉｇｕｒｅ３及びＦｉｇｕｒｅ４に示される。
【０１８５】
上述したように第１〜第８のサブイメージの２０４８×１０８０／４８Ｐ−６０Ｐ信号の映像データ領域の前半部分に４０９６×２１６０／９６Ｐ−１２０Ｐ／４：４：４，４：２：２／１０ビット，１２ビット信号の第１のフレームの信号がマッピングされる。そして、後半部分に次のフレームの信号がマッピングされる。そして、第１〜第８のサブイメージにマッピングされた８ｃｈの２０４８×１０８０／４８Ｐ−６０Ｐ信号は、ＳＭＰＴＥ４３５−１のＦｉｇｕｒｅ２に規定されるように、まずライン間引きして、２本の２０４８×１０８０／４８Ｉ−６０Ｉ信号に分ける。
【０１８６】
そして、２０４８×１０８０／４８Ｉ−６０Ｉ信号が、４：４：４の１０ビット、１２ビットあるいは４：２：２の１２ビット信号である場合には更にワード間引きした後、１．５ＧｂｐｓのＨＤ−ＳＤＩで伝送する。ワード間引き制御部は、ＳＭＰＴＥ４３５−２に規定され、第１〜第８のサブイメージ毎に対応する６チャンネルのモードＢによって定まる１０．６９２Ｇｂｐｓストリームの映像データ領域に画素サンプルを多重する。したがって、４０９６×２１６０／９６Ｐ−１２０Ｐ／４：４：４，４：２：２／１０ビット，１２ビット信号は、図２０に示すように、合計３２ｃｈのＨＤ−ＳＤＩで伝送することとなる。なお、４：２：２／１０ビットの場合には１６ｃｈのＨＤ−ＳＤＩで伝送する。
【０１８７】
具体的には、マッピング部１１は、２０４８×１０８０／４８Ｐ−６０Ｐ／４：４：４，４：２：２／１０ビット、１２ビット信号で設定される第１〜第８のサブイメージを１６ｃｈのインターレース信号に変換する。その後、ＳＭＰＴＥ３７２Ｍ（デュアルリンク）によるＣＨ１〜ＣＨ３２を生成する。ＣＨ１〜ＣＨ３２のうち、ＣＨ１（ＬｉｎｋＡ）及びＣＨ２（ＬｉｎｋＢ），ＣＨ３（ＬｉｎｋＡ）及びＣＨ４（ＬｉｎｋＢ）であり、…ＣＨ３１（ＬｉｎｋＡ）及びＣＨ３２（ＬｉｎｋＢ）である。本例では、ＨＤ−ＳＤＩ ＣＨ１〜ＣＨ６を、１０Ｇ−ＳＤＩ  モードＢ  リンク１として伝送する。同様に、ＨＤ−ＳＤＩ ＣＨ７〜ＣＨ１２を、１０Ｇ−ＳＤＩ  モードＢ  リンク２とし、ＨＤ−ＳＤＩ ＣＨ１３〜ＣＨ１８を、１０Ｇ−ＳＤＩ  モードＢ  リンク３として伝送する。また、ＨＤ−ＳＤＩ ＣＨ１９〜ＣＨ２４を、１０Ｇ−ＳＤＩ  モードＢ  リンク４とし、ＨＤ−ＳＤＩ ＣＨ２５〜ＣＨ３０を、１０Ｇ−ＳＤＩ  モードＢ  リンク５とし、ＨＤ−ＳＤＩ ＣＨ３１〜ＣＨ３２を、１０Ｇ−ＳＤＩ  モードＢ  リンク６として伝送する。
【０１８８】
このようにして３２ｃｈのＨＤ−ＳＤＩにマッピングする。その後、４０９６×２１６０／９６Ｐ−１２０Ｐ／４：４：４，４：２：２／１０ビット，１２ビット信号を、１０．６９２ＧｂｐｓのモードＢ ６ｃｈに多重して伝送する。このとき、４：２：２の場合にはＬｉｎｋＢは使用せず、ＣＨ１，３，５のみ使用する。
【０１８９】
一方、再生部３９は、マッピング部１１の処理とは逆の処理を行って、４０９６×２１６０／９６Ｐ−１２０Ｐ／４：４：４，４：２：２／１０ビット，１２ビット信号を再生する。このとき、ワード多重制御部は、ＳＭＰＴＥ４３５−２に規定され、第１〜第８のサブイメージ毎に対応する６チャンネルのモードＢによって定まる１０．６９２Ｇｂｐｓストリームの映像データ領域から抽出した画素サンプルをラインに多重する。そして、ライン多重制御部は、２本のラインを多重して第１〜第８のサブイメージを生成する。さらに、２画素多重制御部は、第１〜第８のサブイメージの映像データ領域から抽出した画素サンプルを４０９６×２１６０クラスイメージにマッピングする。
【０１９０】
上述した第５の実施の形態に係る放送用カメラ１によれば、４０９６×２１６０／９６Ｐ−１２０Ｐである映像信号を２画素サンプル毎に連続する２フレーム単位で間引く。そして、第１〜第８のサブイメージ（８ｃｈの２０４８×１０８０／４８Ｐ−６０Ｐ）マッピングできる。さらに、第１〜第８のサブイメージをライン間引き、ワード間引きした上で、６ｃｈの１０Ｇ−ＳＤＩ モードＢのＬｉｎｋＡ，Ｂに画素サンプルをマッピングして映像信号を伝送できる。
【０１９１】
また、上述した第５の実施の形態に係るＣＣＵ２によれば、６ｃｈの１０Ｇ−ＳＤＩ モードＢＬｉｎｋから画素サンプルを抽出し、ワード多重、ライン多重を行って第１〜第８のサブイメージを生成する。そして、第１〜第８のサブイメージから抽出した２画素サンプルを４０９６×２１６０／９６Ｐ−１２０Ｐである映像信号に連続する２フレーム単位で多重する。このようにして、４０９６×２１６０／９６Ｐ−１２０Ｐである映像信号を送受信することが可能となる。
【０１９２】
以上説明した第１〜第５の実施の形態に係る伝送システム１０によれば、現状ＨＤ（１９２０×１０８０）の４倍、１６倍にも相当する超高解像度（超大容量）の映像を伝送できる。この映像を構成するのは、３８４０×２１６０／１２０Ｐ、７６８０×４３２０／１２０Ｐ信号である。そして、画素数の多い３８４０×２１６０／１２０Ｐ、７６８０×４３２０／１２０Ｐの段階では２画素サンプル毎にそれぞれ１回、２回間引いて、多ｃｈの１９２０×１０８０／１２０Ｐに変換する。さらに、１９２０×１０８０／１２０Ｐ信号になった段階でライン間引きして２ｃｈの１９２０×１０８０／１２０Ｉ信号に変換する。そして、１９２０×１０８０／１２０Ｉ信号を、して、最終的には３２ｃｈ又は１２８ｃｈの１９２０×１０８０／６０Ｉ信号にマッピングする。
【０１９３】
また、将来提案される可能性が高い３８４０×２１６０／１００Ｐ−１２０Ｐ、７６８０×４３２０／１００Ｐ−１２０Ｐ信号を、２画素間引きやライン間引き、最終的にはワード間引きをする。これにより、多ｃｈの１９２０×１０８０／５０Ｉ−６０Ｉ信号にマッピングすることができる。上述した第１〜第５の実施の形態におけるマッピング方式が最も必要とするメモリ量が少なく、遅延も少ない。また、ＳＭＰＴＥ２７４Ｍで規定される１９２０×１０８０／５０Ｉ−６０Ｉ信号は、現行の測定器で観測可能である。また、３８４０×２１６０／１００Ｐ−１２０Ｐ、７６８０×４３２０／１００Ｐ−１２０Ｐ信号を画素単位あるいは時間単位で間引いて観測することも可能である。また、現行の諸々のＳＭＰＴＥマッピング規格との整合が取れるので、将来ＳＭＰＴＥにおける標準化においても賛同を得られる可能性が最も高い方式である。
【０１９４】
上述した第１〜第５の実施の形態におけるマッピング方式は以下の処理を行い、多重方式は逆の処理を行う。すなわち、３８４０×２１６０／１００Ｐ−１２０Ｐ信号、７６８０×４３２０／１００Ｐ−１２０Ｐ信号、２０４８×１０８０／１００Ｐ−１２０Ｐ信号、又は４０９６×２１６０／９６Ｐ−１２０Ｐ信号を２画素毎に連続する２フレーム単位で間引く。その後、１９２０×１０８０／５０Ｐ−６０Ｐ又は２０４８×１０８０／４８Ｐ−６０ＰのＨＤ−ＳＤＩの映像データ領域に画素サンプルを多重した後、４ｃｈ、６ｃｈ又は１６ｃｈの１０．６９２Ｇｂｐｓに多重して伝送することが可能となる。この場合に、以下の効果を得ることができる。
【０１９５】
（１）ＩＴＵやＳＭＰＴＥでは、次世代の映像信号である３８４０×２１６０，７６８０×４３２０／１００Ｐ−１２０Ｐ信号が審議されている。更にはこれを超える４０９６×２１６０／９６Ｐ−１２０Ｐ信号、３８４０×２１６０，７６８０×４３２０／（５０Ｐ−６０Ｐ）×Ｎ信号、４０９６×２１６０／（４８Ｐ−６０Ｐ）×Ｎ信号についても審議されている。そして、特許第４６４５６３８号公報に記載された方式を用いて、多ｃｈの１０Ｇインターフェースで映像信号を伝送することが出来る。
【０１９６】
（２）現状のＨＤ映像規格ＳＭＰＴＥ２７４や、２０４８×１０８０  ａｎｄ  ４０９６×２１６０  Ｄｉｇｉｔａｌ  Ｃｉｎｅｍａｔｏｇｒａｐｈｙ  Ｐｒｏｄｕｃｔｉｏｎ  ｉｍａｇｅ  Ｆｏｒｍａｔ  ＦＳ／７０９  Ｓ２０４８−１，２には６０Ｐまでの規定しかない。また、将来ＳＭＰＴＥ２７４を改定して１２０Ｐを追加するのは、ＨＤ機器が幅広く普及し開発・商品・販売されている現状では困難であるとの見方が強い。このため、将来の５０Ｐ−６０Ｐの整数倍になるハイフレーム信号を、現状のＳＭＰＴＥ２７４やＳＭＰＴＥ２０４８−２に規定される、多ｃｈの１９２０×１０８０／５０Ｐ−６０Ｐや２０４８×１０８０／４８Ｐ−６０Ｐにマッピングして伝送する方法を検討した。更に、現在３８４０×２１６０，７６８０×４３２０／５０Ｐ−６０Ｐを多ｃｈの１０Ｇ−ＳＤＩで伝送する方式はＳＭＰＴＥ２０３６−３として標準化されている。また、４０９６×２１６０／４８Ｐ−６０Ｐを多ｃｈの１０Ｇ−ＳＤＩで伝送する方式はＳＭＰＴＥ２０４８−３として標準化を提案することが可能となる。ＳＭＰＴＥ２０３６−３やＳＭＰＴＥ２０４８−３は、上述した実施の形態に係る２画素サンプル間引き方式（特許第４６４５６３８号）と同じ方式を採用しているので、上述した実施の形態に係る方式が将来ＳＭＰＴＥにて標準化される可能性が高い。
【０１９７】
（３）４ｋ、８ｋの信号を２画素サンプル毎に間引くことで、画面全体の映像を現行のＨＤ用のモニタや波形モニタ、あるいは８ｋ信号を将来の４ｋ用モニタ等で観測できる。このため、映像機器を開発する際等における不具合の解析に有効である。
【０１９８】
（４）３８４０×２１６０／１００Ｐ−１２０Ｐ、７６８０×４３２０／１００Ｐ−１２０Ｐ信号を、４ｃｈ，１６ｃｈのモードＤの１０．６９２Ｇｂｐｓで伝送する際に、最小の遅延で伝送システムを構築することが出来る。また、ＳＭＰＴＥで審議されているＳ２０３６−３規格について、３８４０×２１６０、７６８０×４３２０のクラスイメージのフレームから２画素サンプル毎に間引く方式の整合を取ることができる。なお、Ｓ２０３６−３は、３８４０×２１６０／２３．９８Ｐ−６０Ｐ、７６８０×４３２０／２３．９８Ｐ−６０Ｐの多ｃｈの１０．６９２ＧｂｐｓのモードＤへのマッピング規格に関する。
【０１９９】
（５）また、画素の間引き又は多重に際して抽出される画素数を少なくし、一時領域として用いるメモリ量を抑えることができる。ここで、１９２０×１０８０／５０Ｐ−６０Ｐ信号をライン間引きして２ｃｈの１９２０×１０８０／５０Ｉ−６０Ｉ信号に変換するライン間引きは、ＳＭＰＴＥ３７２の規格に採用された方式を用いる。この規格には、１９２０×１０８０／５０Ｐ−６０Ｐ信号を２ｃｈの１９２０×１０８０／５０Ｉ−６０Ｉにマッピングする方式が規定されている。このため、上述した実施の形態に係るマッピング方式を用いることによって、ＳＭＰＴＥ３７２の規格で定められたマッピング方式と整合を取ることができる。
【０２００】
＜６．変形例＞
なお、上述した実施の形態例における一連の処理は、ハードウェアにより実行することができるが、ソフトウェアにより実行させることもできる。一連の処理をソフトウェアにより実行させる場合には、そのソフトウェアを構成するプログラムが専用のハードウェアに組み込まれているコンピュータ、または、各種の機能を実行するためのプログラムをインストールしたコンピュータにより、実行可能である。例えば汎用のパーソナルコンピュータなどに所望のソフトウェアを構成するプログラムをインストールして実行させればよい。
【０２０１】
また、上述した実施の形態の機能を実現するソフトウェアのプログラムコードを記録した記録媒体を、システムあるいは装置に供給してもよい。また、そのシステムあるいは装置のコンピュータ（またはＣＰＵ等の制御装置）が記録媒体に格納されたプログラムコードを読み出し実行することによっても、機能が実現されることは言うまでもない。
【０２０２】
この場合のプログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０２０３】
また、コンピュータが読み出したプログラムコードを実行することにより、上述した実施の形態の機能が実現される。加えて、そのプログラムコードの指示に基づき、コンピュータ上で稼動しているＯＳなどが実際の処理の一部又は全部を行う。その処理によって上述した実施の形態の機能が実現される場合も含まれる。
【０２０４】
また、本開示は上述した実施の形態に限られるものではなく、特許請求の範囲に記載した本開示の要旨を逸脱しない限りその他種々の応用例、変形例を取り得ることは勿論である。
【符号の説明】
【０２０５】
１…放送用カメラ、２…ＣＣＵ、３…光ファイバーケーブル、１０…信号伝送システム、１１…マッピング部、３９…再生部
【図１】
0005870508.tif 000005
【図２】
0005870508.tif 000006
【図３】
0005870508.tif 000007
【図５】
0005870508.tif 000008
【図６】
0005870508.tif 000009
【図１０】
0005870508.tif 000010
【図１１】
0005870508.tif 000011
【図１２】
0005870508.tif 000012
【図１３】
0005870508.tif 000013
【図１５】
0005870508.tif 000014
【図１６】
0005870508.tif 000015
【図４】
0005870508.tif 000016
【図７】
0005870508.tif 000017
【図８】
0005870508.tif 000018
【図９】
0005870508.tif 000019
【図１４】
0005870508.tif 000020
【図１７】
0005870508.tif 000021
【図１８】
0005870508.tif 000022
【図１９】
0005870508.tif 000023
【図２０】
0005870508.tif 000024
【図２１】
0005870508.tif 000025